(57)【要約】第１のセル内にいる移動端末（ＭＮ）に、第２のセルのシステム情報について通知するための方法。具体的には、システム情報へのポインタが、移動ノードが第１のセル内にいる間に、第１のセルの基地局から移動ノードへ送信される。例えば、第２のセル内でのシステム情報の送信フォーマットとタイミングに関する情報を含んでなる前記ポインタをＭＮは処理する。ネットワークによって割り当てられた取得間隔を利用して、前もって受信したスケジューリング情報に基づいてシステム情報を取得するように、ＭＮはその周波数を第２の周波数に変更する。したがって、システム情報を取得するために第２の周波数上のマスター情報ブロックを最初に処理する必要がなくなるので、重要なシステム情報の取得時間を減少できる。
2010506446.tif 000002
【特許請求の範囲】
【請求項１】
移動通信システムの第１のセル内にいる移動端末に、第２のセル内でブロードキャストされる第２のセルのシステム情報について通知するための方法であり、
前記第２のセルの前記システム情報への少なくとも一つのポインタを、前記移動端末が前記第１のセル内にいる間に、前記第１のセルの基地局から前記移動端末へ送信するステップを有する方法。
【請求項２】
前記第２のセルの前記システム情報は前記第２のセル内で第２の周波数キャリア上でブロードキャストされ、前記第１のセルの前記基地局は通信のために第１の周波数を使用し、前記送信するステップは、
前記第２の周波数キャリア上でブロードキャストされる前記システム情報への前記少なくとも一つのポインタを前記第１の周波数キャリア上で前記基地局によりブロードキャストすることを含んでなる、
請求項１に記載の方法。
【請求項３】
前記移動端末は、前記第１の周波数キャリアをリッスンし、前記方法は、
前記第１の周波数キャリア上でブロードキャストされる前記少なくとも一つのポインタを前記移動端末により受信するステップと、
前記少なくとも一つのポインタは、前記第２の周波数キャリア上でブロードキャストされる前記システム情報を直接指し示し、
前記受信した少なくとも一つのポインタを使用して、前記第２の周波数キャリア上でブロードキャストされる前記システム情報を取得するステップと、をさらに有する、
請求項２に記載の方法。
【請求項４】
前記システム情報は少なくとも一つのシステム情報ブロックの形態でブロードキャストされる、請求項２または請求項３に記載の方法。
【請求項５】
前記少なくとも一つのポインタは、前記第１の周波数キャリアの第１のブロードキャスト・トランスポート・チャネル上でブロードキャストされ、前記システム情報は、前記第２の周波数キャリアの第２のブロードキャスト・トランスポート・チャネル上でブロードキャストされる、請求項２から請求項４のいずれか一つに記載の方法。
【請求項６】
前記第１及び前記第２のブロードキャスト・トランスポート・チャネルは、それぞれ、固定速度のブロードキャスト・トランスポート・チャネルと変動速度のブロードキャスト・トランスポート・チャネルを含んでなり、前記システム情報は、前記第２の固定速度のブロードキャスト・トランスポート・チャネル及び／または前記第２の変動速度のブロードキャスト・トランスポート・チャネル上でブロードキャストされる、請求項５に記載の方法。
【請求項７】
前記少なくとも一つのポインタは、前記第１の固定速度のブロードキャスト・トランスポート・チャネル及び／または前記第１の変動速度のブロードキャスト・トランスポート・チャネル上でブロードキャストされる、請求項６に記載の方法。
【請求項８】
前記少なくとも一つのポインタは、前記少なくとも一つのシステム情報ブロックが、第２の固定速度のブロードキャスト・トランスポート・チャネル及び／または第２の変動速度のブロードキャスト・トランスポート・チャネルで送信されるかを示す、請求項４に記載の方法。
【請求項９】
前記少なくとも一つのポインタは、前記第２の周波数キャリア上でブロードキャストされる少なくとも一つのシステム情報ブロックの送信フォーマットとタイミングを指示する、請求項４または請求項８に記載の方法。
【請求項１０】
前記システム情報は、前記移動端末によって周波数間測定を実行するために必要な情報である、請求項２から請求項９のいずれか一つに記載の方法。
【請求項１１】
前記システム情報は、前記第２の周波数キャリアの隣接セル・リストに関係する、請求項１０に記載の方法。
【請求項１２】
前記システム情報は、前記移動端末によってモビリティ手順を実行するために必要な情報である、請求項２から請求項９のいずれか一つに記載の方法。
【請求項１３】
前記モビリティ手順は、接続性またはアタッチメント・ポイントを元のセルから移動先セルへ変更することを含み、前記少なくとも一つのポインタは、前記元のセル内で前記第１の周波数キャリアを介して送信され、前記システム情報は、移動先セル特有のシステム情報であり、前記移動先セル内で前記第２の周波数キャリアを介して送信される、請求項１２に記載の方法。
【請求項１４】
他のシステム情報が前記第１の周波数キャリア上でブロードキャストされ、前記方法は、
前記第１の周波数キャリア上でブロードキャストされる前記他のシステム情報への少なくとも一つのポインタを前記移動通信システムにより前記第２の周波数キャリア上でブロードキャストするステップをさらに有する、
請求項２から請求項１３のいずれか一つに記載の方法。
【請求項１５】
前記第１の周波数キャリアは、移動端末との通信のために第１の基地局によって使用され、前記第２の周波数キャリアは、移動端末との通信のために第２の基地局によって使用され、前記方法は、
前記第２の周波数キャリア上でブロードキャストされる前記システム情報への前記少なくとも一つのポインタを前記第２の基地局から前記第１の基地局へ送信するステップをさらに有する、
請求項２から請求項１４のいずれか一つに記載の方法。
【請求項１６】
前記少なくとも一つのポインタを前記第２の基地局から前記第１の基地局へ送信する前記ステップは、定期的に、または前記第２の基地局で前記少なくとも一つのポインタが変更された後、または前記第１の基地局からの前記少なくとも一つのポインタの要求を前記第２の基地局で受信後に実行される、請求項１５に記載の方法。
【請求項１７】
前記第１及び前記第２の周波数キャリアは、それぞれ、前記移動通信システムの階層セル構成において使用される複数の周波数キャリアのうちの一つである、請求項２から請求項１６のいずれか一つに記載の方法。
【請求項１８】
前記複数の周波数キャリアはそれぞれに、異なる基地局によって移動端末との通信のために使用される、請求項１７に記載の方法。
【請求項１９】
前記複数の周波数キャリアのすべては、一つの基地局によって移動端末との通信のために使用される、請求項１７に記載の方法。
【請求項２０】
特定の周波数キャリアに属する特定のシステム情報は、前記特定の周波数キャリア上でのみブロードキャストされ、前記特定の周波数キャリアは前記複数の周波数キャリアの一つであり、
前記特定のシステム情報への少なくとも一つの特定のポインタが、前記移動通信システムの前記複数の周波数キャリアの各々でブロードキャストされる、
請求項１７に記載の方法。
【請求項２１】
前記移動端末のデータ送信ストリーム中に少なくとも一つの取得間隔を前記移動通信システムによって前記移動端末に割り当てるステップをさらに有し、
前記少なくとも一つの取得間隔は、前記受信した少なくとも一つのポインタを使用して、前記第２の周波数キャリア上の前記システム情報を取得するために前記移動端末によって使用される、
請求項２から請求項２０のいずれか一つに記載の方法。
【請求項２２】
前記移動通信システムは、前記移動端末によって周波数間測定を実行するために、前記移動端末のデータ送信ストリーム中に少なくとも一つの測定間隔を前記移動端末に割り当て、
前記第２の周波数キャリア上の前記システム情報のブロードキャストが、前記少なくとも一つの測定間隔に時間的に整合される場合は、前記少なくとも一つの測定間隔は、前記少なくとも一つの取得間隔として前記移動端末に割り当てられ、
前記第２の周波数キャリア上の前記システム情報のブロードキャストが、前記少なくとも一つの測定間隔に時間的に整合されない場合は、前記少なくとも一つの測定間隔は、前記少なくとも一つの取得間隔として前記移動端末に割り当てられない、
請求項２１に記載の方法。
【請求項２３】
前記第２の周波数キャリア上でブロードキャストされる前記システム情報は隣接セル・リストに関係し、前記隣接セル・リストの第１の部分は接続状態にある移動端末に適用し、前記隣接セル・リストの第２の部分はアイドル状態にある移動端末に適用し、
前記第１の周波数キャリア上でブロードキャストされる、前記隣接セル・リストへの前記少なくとも一つのポインタは、前記接続状態にある移動端末に適用する前記隣接セル・リストの前記第１の部分にかかわる第１の部分と、前記アイドル状態にある移動端末に適用する前記隣接セル・リストの前記第２の部分にかかわる第２の部分に分離される、
請求項２から請求項２２のいずれか一つに記載の方法。
【請求項２４】
前記第２の周波数キャリア上でブロードキャストされる前記システム情報は隣接セル・リストに関係し、前記隣接セル・リストの第１の部分は低データ伝送速度をサポートし、前記隣接セル・リストの第２の部分は高データ伝送速度をサポートし、
前記第１の周波数キャリア上でブロードキャストされる、前記隣接セル・リストへの前記少なくとも一つのポインタは、低データ伝送速度をサポートする前記隣接セル・リストの前記第１の部分にかかわる第１の部分と、高データ伝送速度をサポートする前記隣接セル・リストの前記第２の部分にかかわる第２の部分に分離される、
請求項２から請求項２２のいずれか一つに記載の方法。
【請求項２５】
記少なくとも一つのポインタの前記第１の部分と前記第２の部分は、異なる繰返し周期をもつ、前記第１の周波数キャリア上の異なるスケジューリング・ブロック中でブロードキャストされる、請求項２３または請求項２４に記載の方法。
【請求項２６】
前記移動通信システムは時間的に非同期であり、前記方法は、
前記第２の周波数キャリアの送信タイミングに前記移動端末を同期させるために、第２の周波数キャリアから前記移動端末によって同期情報を取得するステップをさらに含む、
請求項２から請求項２５のうちのいずれか一つに記載の方法。
【請求項２７】
前記方法は、
前記受信した少なくとも一つのポインタを前記移動端末の第１層のプロトコルから前記移動端末の第３層のプロトコルへ転送するステップと、
前記受信した少なくとも一つのポインタに応答して、前記第２の周波数キャリアから前記同期情報を取得するために、前記第３層のプロトコルから第１の取得指令を前記第１層のプロトコルへ送信するステップと、
前記移動端末の前記第１層のプロトコルによって前記第２の周波数キャリアから前記同期情報を取得すると、前記取得された同期情報を前記第３層のプロトコルへ転送するステップと、
前記転送された同期情報に応答して、前記第２の周波数キャリアから前記システム情報を取得するために、前記第３層のプロトコルから第２の取得指令を前記第１層のプロトコルへ送信するステップと、
前記移動端末の前記第１層のプロトコルによって前記システム情報を取得すると、前記取得したシステム情報の第１の部分を前記第３層のプロトコルへ転送するステップと、
前記システム情報の前記第１の部分は周波数間測定の設定に関連しており、
前記システム情報の前記第１の部分に基づいて、前記周波数間測定を実行するために、前記移動端末の前記第３層のプロトコルによって前記第１層のプロトコルを設定するステップと、をさらに有する、
請求項２６に記載の方法。
【請求項２８】
前記同期情報は、前記第２のセルの固定速度のブロードキャスト・トランスポート・チャネル上でブロードキャストされるシステム・フレーム番号である、請求項２７に記載の方法。
【請求項２９】
移動通信システムの第１のセル内にいる移動端末に、第２のセル内でブロードキャストされる第２のセルのシステム情報について通知するための基地局であり、前記基地局は、
前記第２のセルの前記システム情報への少なくとも一つのポインタを、前記移動端末が前記第１のセル内にいる間に、前記移動端末へ送信するための送信機を具備する、
基地局。
【請求項３０】
前記第２のセルの前記システム情報は前記第２のセル内で第２の周波数キャリア上でブロードキャストされ、前記第１のセルの前記基地局は通信のために第１の周波数キャリアを使用し、
前記送信機は、前記第２の周波数キャリア上でブロードキャストされる前記システム情報への前記少なくとも一つのポインタを前記第１の周波数キャリア上でブロードキャストするようにさらに適合される、
請求項２９に記載の基地局。
【請求項３１】
前記基地局は、移動端末と通信するために第１及び第２の周波数キャリアを使用する、  請求項３０に記載の基地局。
【請求項３２】
前記基地局の前記送信機は、前記第１の周波数キャリアの第１のブロードキャスト・トランスポート・チャネル上で前記少なくとも一つのポインタをブロードキャストし、前記第２の周波数キャリアの第２のブロードキャスト・トランスポート・チャネル上で前記システム情報をブロードキャストするように適合され、前記第１及び前記第２のブロードキャスト・トランスポート・チャネルは、それぞれ、固定速度のブロードキャスト・トランスポート・チャネルと変動速度のブロードキャスト・トランスポート・チャネルを含んでなり、
前記基地局の前記送信機は、前記第２の固定速度のブロードキャスト・トランスポート・チャネル及び／または前記第２の変動速度のブロードキャスト・トランスポート・チャネル上で前記システム情報をブロードキャストし、前記第１の固定速度のブロードキャスト・トランスポート・チャネル及び／または前記第１の変動速度のブロードキャスト・トランスポート・チャネル上で前記少なくとも一つのポインタをブロードキャストするように適合される、
請求項３１に記載の基地局。
【請求項３３】
前記第１及び前記第２の周波数キャリアは、それぞれ、前記移動通信システムの階層セル構成において使用される複数の周波数キャリアのうちの一つであり、前記基地局は、
特定の周波数キャリア上でのみブロードキャストされる特定のシステム情報への少なくとも一つの特定のポインタを前記複数の周波数キャリアの各々でブロードキャストするようにさらに適合される送信機を具備する、
請求項３１または請求項３２に記載の基地局。
【請求項３４】
前記基地局は、移動端末との通信に前記第１の周波数キャリアを使用し、第２の基地局が移動端末との通信に前記第２の周波数キャリアを使用し、前記基地局は、
前記基地局の前記第２の周波数キャリア上でブロードキャストされる前記システム情報への前記少なくとも一つのポインタを前記第２の基地局から受信するように適合された受信器を具備する、
請求項３０に記載の基地局。
【請求項３５】
前記送信機は、前記少なくとも一つのポインタの要求を前記第２の基地局へ送信するようにさらに適合され、
前記受信器は、定期的に、または前記第２の基地局で前記少なくとも一つのポインタが変更された後、または前記送信した要求に応答して、前記少なくとも一つのポインタを前記第２の基地局から受信するようにさらに適合される、
請求項３４に記載の基地局。
【請求項３６】
前記移動端末のデータ送信ストリーム中に少なくとも一つの取得間隔を前記移動端末に割り当てるように適合されたプロセッサをさらに具備し、前記少なくとも一つの取得間隔は、前記受信した少なくとも一つのポインタを使用して前記第２の周波数キャリア上の前記システム情報を取得するために前記移動端末によって使用され、
前記送信機は、前記少なくとも一つの取得間隔の割当てに関する情報を前記移動端末へ送信するように適合される、
請求項３０から請求項３５のうちのいずれか一つに記載の基地局。
【請求項３７】
前記システム情報は隣接セル・リストに関係し、前記隣接セル・リストの第１の部分は接続状態にある移動端末に適用し、前記隣接セル・リストの第２の部分はアイドル状態にある移動端末に適用し、前記基地局は、  
接続状態にある移動端末に適用する前記隣接セル・リストの前記第１の部分への前記少なくとも一つのポインタの第１の部分を前記第１の周波数キャリア上でブロードキャストし、さらにアイドル状態にある移動端末に適用する前記隣接セル・リストの前記第２の部分への前記少なくとも一つのポインタの第２の部分をブロードキャストするようにさらに適合される前記送信機をさらに具備する、
請求項３０から請求項３６のいずれか一つに記載の基地局。
【請求項３８】
前記システム情報は隣接セル・リストに関係し、前記隣接セル・リストの第１の部分は低データ伝送速度をサポートし、前記隣接セル・リストの第２の部分は高データ伝送速度をサポートし、
前記送信機は、低データ伝送速度をサポートする前記隣接セル・リストの前記第１の部分への前記少なくとも一つのポインタの第１の部分を前記第１の周波数キャリア上でブロードキャストし、さらに高データ伝送速度をサポートする前記隣接セル・リストの前記第２の部分への前記少なくとも一つのポインタの第２の部分をブロードキャストするようにさらに適合される、
請求項３０から請求項３７のいずれか一つに記載の基地局。
【請求項３９】
請求項１から請求項２８のうちの一つに記載の前記方法の各ステップを実行するまたは各ステップに関与するための手段をさらに具備する、請求項３０から請求項３８のいずれか一つに記載の基地局。
【請求項４０】
移動通信システム内で通信するために第１のセル内にいる移動端末であり、第２のセルのシステム情報が前記第２のセル内でブロードキャストされ、前記移動端末は、
前記第２のセル内でブロードキャストされる前記システム情報への少なくとも一つのポインタを、前記移動端末が前記第１のセルにいる間に、前記第１のセルの基地局から受信するように適合された受信器を具備する、
移動端末。
【請求項４１】
前記システム情報は前記第２のセル内で第２の周波数キャリア上でブロードキャストされ、前記第１のセルの前記基地局は通信のために第１の周波数キャリアを使用し、
前記受信器は、前記第２の周波数キャリア上でブロードキャストされる前記システム情報への前記少なくとも一つのポインタを前記第１の周波数キャリア上で前記基地局から受信するようにさらに適合される、
請求項４０に記載の移動端末。
【請求項４２】
前記移動端末は、前記第１の周波数キャリアをリッスンしていて、前記少なくとも一つのポインタは、前記第２の周波数キャリア上でブロードキャストされる前記システム情報を直接指し示し、前記移動端末は、
前記受信した少なくとも一つのポインタを使用して、前記第２の周波数キャリア上の前記システム情報を取得するように適合される前記受信器をさらに具備する、
請求項４１に記載の移動端末。
【請求項４３】
前記移動通信システムは、前記移動端末のデータ送信中に少なくとも一つの取得間隔を前記移動端末に割り当て、
前記受信器は、前記少なくとも一つの取得間隔の割当てに関する情報を受信するようにさらに適合され、
前記受信器は、前記取得間隔内に、前記受信した少なくとも一つのポインタを使用して、前記第２の周波数キャリア上の前記システム情報を取得するようにさらに適合される、
請求項４１または請求項４２に記載の移動端末。
【請求項４４】
前記移動通信システムは時間的に非同期であり、
前記受信器は、前記第２の周波数キャリアの送信タイミングに前記移動端末を同期させるために、第２の周波数キャリアから同期情報を取得するようにさらに適合される、
請求項４０から請求項４３のいずれか一つに記載の移動端末。
【請求項４５】
送信機は、前記受信した少なくとも一つのポインタを前記移動端末の第１層のプロトコルから前記移動端末の第３層のプロトコルへ転送するように適合され、
前記送信機は、前記転送した少なくとも一つのポインタに応答して、前記第２の周波数キャリアから前記同期情報を取得するために、前記第３層のプロトコルから第１の取得指令を前記第１層のプロトコルへ送信するようにさらに適合され、
前記受信器は、前記第２の周波数キャリアから前記同期情報を前記第１層のプロトコルによって取得するようにさらに適合され、
前記送信機は、前記取得した同期情報を前記第３層のプロトコルへ転送するようにさらに適合され、
前記送信機は、前記第３層のプロトコルで前記受信された同期情報に応答して、前記第２の周波数キャリアから前記システム情報を取得するために、前記第３層のプロトコルから第２の取得指令を前記第１層のプロトコルへ送信するようにさらに適合され、
前記受信器は、前記第１層のプロトコルによって前記システム情報を取得するようにさらに適合され、
前記送信機は、前記取得したシステム情報の第１の部分を前記第３層のプロトコルへ転送するようにさらに適合され、前記システム情報の前記第１の部分は周波数間測定またはセル選択の設定に関連しており、
プロセッサは、前記システム情報の前記第１の部分に基づいて、前記周波数間測定を実行するために、前記第３層のプロトコルによって前記第１層のプロトコルを設定するように適合される、
請求項４４に記載の移動端末。
【請求項４６】
請求項１から請求項２８のうちの一つに記載の前記方法の各ステップを実行するまたは各ステップに関与するための手段をさらに具備する、請求項４０から請求項４５のいずれか一つに記載の移動端末。
【請求項４７】
請求項２９から請求項３９のうちの一つに記載の基地局と請求項４０から請求項４６の一つに記載の移動端末を含んでなる通信システム。
【発明の詳細な説明】
【技術分野】
【０００１】
本発明は、移動通信システムの第１のセル内にいる移動端末に、第２のセル内でブロードキャストされる第２のセルのシステム情報について通知するための方法に関係する。これにより、例えば、ハンドオーバやセル選択（再選択）などのモビリティ手順を容易にすることができる。本発明は、移動ノードが前記関連システム情報ブロックを効率的に取得できるようにするために様々な方法のステップを提供する。さらに、本発明は、本発明に関与する移動ノードと無線制御エンティティに関係する。
【背景技術】
【０００２】
Ｗ−ＣＤＭＡ（Wideband Code Division Multiple Access;広帯域符号分割多元接続）は、第三世代無線移動通信システムとしての利用に向けて標準化されたＩＭＴ−２０００システム（International Mobile Telecommunicationシステム)のための無線インタフェースである。Ｗ−ＣＤＭＡは、音声サービスやマルチメディア移動通信サービスなど多様なサービスを柔軟で効率的な方法で提供する。日本、欧州、米国、その他の国々の標準化機関は、Ｗ−ＣＤＭＡについての共通無線インタフェース仕様を作成するために、合同で３ＧＰＰ（the 3rd Generation Partnership Project：第３世代移動体通信システムの標準化プロジェクト）というプロジェクトを組織した。
【０００３】
ＩＭＴ−２０００の標準化された欧州バージョンは、一般に、ＵＭＴＳ（Universal Mobile Telecommunication System）と呼ばれる。ＵＭＴＳの仕様の最初のリリースは、１９９９年に公表された（リリース９９）。その後、リリース４、リリース５、リリース６において標準の改良が幾度か３ＧＰＰにより標準化された。
【０００４】
近年、３ＧＰＰは、３Ｇの長期の競争力を確実にするために、３Ｇ標準の次の主要な段階または進展を検討し始めた。３ＧＰＰは、最近、「進化ＵＴＲＡ及びＵＴＲＡＮ」―「Long Term Evolution （ＬＴＥ）；長期的発展」としてもっとよく知られている―という研究項目に着手した。この研究は、サービス提供を向上させ、ユーザと通信事業者のコストを減少させるために、性能の大きな飛躍を達成する手段を探ろうとするものである。インターネット・プロトコル（ＩＰ）がモビリティ制御に使用され、すべての将来のサービスはＩＰベースになるであろうと一般に想定される。したがって、上記発展の焦点は、レガシーＵＭＴＳシステムのパケット交換（ＰＳ）分野の強化にある。
【０００５】
上記発展の主な目的は、すでに言及したとおり、サービス提供をさらに向上させ、ユーザと通信事業者のコストを減少させることである。さらに詳しく、長期的発展（ＬＴＥ）のための重要な性能、能力、配備の要件をいくつか挙げると、とりわけ次のものがある。
・  ＨＳＤＰＡ及びＨＳＵＰＡと比較して大幅に高速化したデータ伝送速度（ダウンリンク上で100Mbps以上、アップリンク上で50Mbps以上の目標最高データ伝送速度が想定されている）
・  広域のカバレッジでの高いデータ伝送速度
・  より上位層のプロトコル（例えば、ＴＣＰ）の性能を向上させるためのユーザ・プレーンにおけるレイテンシーの大幅な減少、並びに制御プレーンの手順（例えば、セッション設定）に伴う遅延を減少させること
・  1.25 MHzから 20 MHzまでの範囲の様々なサイズのスペクトル割当て内での独立したシステム動作
他にもう一つ、長期的発展のための配備に関係した要件は、これらの技術へのスムーズな移行を可能にすることである。
【０００６】
現在とＬＴＥのＵＴＲＡＮアーキテクチャ
Universal Mobile Telecommunication System（ＵＭＴＳ）のハイレベル・リリース９９／４／５／６のアーキテクチャを図１に示す（http://www.3gpp.orgから得られる非特許文献１―参照により本文書に援用される―を参照）。ＵＭＴＳシステムは、各々が定義された機能を有する、多数のネットワーク要素により構成される。各ネットワーク要素はそれぞれ各自の機能によって定義されるが、各ネットワーク要素の物理的実現は、同様なものとするのが一般的であるが、必ずしもそうしなくてもよい。
【０００７】
ネットワーク要素は、機能的に、コア・ネットワーク（ＣＮ）１０１、ＵＭＴＳ地上無線アクセス・ネットワーク（ＵＴＲＡＮ）１０２及びユーザ装置（ＵＥ）１０３にグループ分けされる。ＵＴＲＡＮ １０２は無線通信に関係したすべての機能を処理することを担い、ＣＮ １０１は呼及びデータ接続の外部ネットワークへのルーティングを担当する。ＣＮ／ＵＴＲＡＮとＵＴＲＡＮ／ＵＥの相互接続は、オープン・インタフェース（それぞれ、ｌｕ、Ｕｕ）により定められる。ＵＭＴＳシステムはモデュール形式であり、したがって同一タイプのネットワーク要素をいくつももつことが可能であることに留意すべきである。
【０００８】
つまりここでは、二つの異なるアーキテクチャを論述するが、これらは、各ネットワーク要素に対する論理的な機能の分配に関して定義される。実際のネットワーク配備においては、各アーキテクチャは多様な物理的実現をとり得る、つまり２個以上のネットワーク要素を単一の物理的ノードに統合することもできることを意味する。
【０００９】
図２は、３ＧＰＰ ＬＴＥ移動通信ネットワークの典型的な概観を示す。ネットワークは、機能的にコア・ネットワーク（ＣＮ）、無線アクセス・ネットワーク（ＲＡＮ）及びユーザ装置（ＵＥ）またはモバイル端末にグループ分けされる様々なネットワーク・エンティティからなる。ＲＡＮは、特に無線リソースのスケジューリングを含む無線通信に関係したすべての機能を処理することを担う。ＣＮは、呼及びデータ接続の外部ネットワークへのルーティングを担当する。
【００１０】
ＬＴＥネットワークは、アクセス・ゲートウェイ（ａＧＷ）とノードＢ（拡張型ノードＢ、eNode Bs、ｅＮＢｓとも言い表わす）からなる２ノード・アーキテクチャである。ａＧＷは、ＣＮ機能、すなわち、呼及びデータ接続の外部ネットワークへのルーティングを処理するとともに、ＲＡＮ機能も実行する。したがって、ａＧＷは、今日の３ＧネットワークではＳＧＳＮ及びＲＮＣによって実行される機能の一部と、例えば、 ヘッダ圧縮、暗号化／インテグリティ保護といったＲＡＮ機能を統合するものと考えることができる。ノードＢは、例えば、無線リソース制御（ＲＲＣ）、分割／連結、リソースのスケジューリングと割当て、多重化及び物理層機能といった機能を処理できる。
【００１１】
移動通信ネットワークは、通常、モデュール形式であり、したがって同一タイプのネットワーク要素をいくつももつことが可能である。ネットワーク要素の相互接続は、オープン・インタフェースによって形成される。ＵＥは、Ｕｕインタフェースと表記された無線インタフェースを介してノードＢへ接続可能である。ノードＢは、いわゆるＳ１インタフェースを介してａＧＷへの接続をもつことができる。ノードＢ同士は、いわゆるＸ２インタフェースを介して相互接続される。
【００１２】
３ＧＰＰと非３ＧＰＰの両者が一体化したものは、外部パケット・データ・ネットワーク（例えば、インターネット）へのａＧＷのインタフェースを介して処理され得る。
【００１３】
すでに前述したように、図２の典型的なネットワーク・アーキテクチャでは、セル・リソースの所有は各ノードＢにおいて処理されると仮定される。セル・リソースの所有をａＧＷの外側にしたことは、ａＧＷのプーリング（ＣＰ／ＵＰの両方のフローの）をサポートすることを可能にし、一つのノードＢを異なる端末用の複数のａＧＷに接続できるようにする（その結果、単一ポイントの障害を回避する）。
【００１４】
ＬＴＥノード・アーキテクチャ
図３は、ＬＴＥベースのＵＴＲＡＮにおけるユーザ・プレーンのプロトコル・スタックを示す。第２層は、媒体アクセス制御（ＭＡＣ）、無線リンク制御（ＲＬＣ）及びパケット・データ・コンバージェンス・プロトコル（ＰＤＣＰ）の各サブ層に分割され、ＲＬＣサブ層は、ネットワーク側において拡張型ノードＢで終端される。ＰＤＣＰ層とＮＡＳ層は、ネットワーク側においてアクセス・ゲートウェイで終端される。ａＧＷと拡張型ノードＢの間のＳ１−Ｃインタフェースは、ＭＡＣ及び各エンティティ間での伝送媒体に特に適合された物理層とあいまってトランスポート・ネットワーク層を形成する。
【００１５】
移動ノード（ＭＮまたはユーザ装置ＵＥとも言い表す）とコア・ネットワークの間の制御シグナリングの大部分は、無線リソース制御（ＲＲＣ）メッセージによって行なわれる。ＲＲＣプロトコルは、第３層に置かれ、ＵＥ個別のシグナリング、アイドル・モードのＵＥのページング、並びにシステム情報ブロードキャストのための機能を提供する。ＲＲＣ層は、より上位層からの制御情報の正確な送信を確実に行なうための再送信機能もサポートする。
【００１６】
要約すれば、図３は、Ｅ−ＵＴＲＡ制御プレーン用の無線インタフェース・プロトコル・スタック・アーキテクチャを示す。関連機能の内容の説明は、プロシーディング・テキストに記載されている。
【００１７】
・  ＲＬＣ及びＭＡＣサブ層（ネットワーク側ではｅＮＢで終端される）は、ユーザ・プレーンに対応した同じ機能を実行する。
【００１８】
・  ＲＲＣ（ネットワーク側ではｅＮＢで終端される）は、例えば、下に挙げる機能を実行する。
-  ブロードキャスト
-  ページング
-  ＲＲＣ接続管理
-  ＲＢ制御
-  モビリティ機能、及び
-  ＵＥ測定報告及び制御
【００１９】
・  ＰＤＣＰサブ層（ネットワーク側ではａＧＷで終端される）は、制御プレーン用の、例えば、下に挙げる機能を実行する。
-  インテグリティ保護、及び
-  暗号化
【００２０】
・  ＮＡＳ（ネットワーク側ではａＧＷで終端される）は、とりわけ下記のことを実行する。
-  ＳＡＥベアラ管理
-  認証
-  アイドル・モードのモビリティ処理
-  ＬＴＥ＿アイドルでのページング発信、及び
-  ａＧＷとＵＥ間のシグナリングに対する及びユーザ・プレーンに対するセキュリティ制御
【００２１】
ＵＴＲＡ無線インタフェース・プロトコル・アーキテクチャ
ＵＴＲＡＮの無線インタフェース・プロトコル・アーキテクチャの概観を図４に示す。一般に、ＵＴＲＡＮの無線インタフェース・プロトコル・アーキテクチャは、ＯＳＩプロトコル・スタックの第１層〜第３層を実装する。ＵＴＲＡＮで終端されるプロトコルは、アクセス層プロトコルとも言われる。アクセス層と対比して、ＵＴＲＡＮで終端されないすべてのプロトコルは、通常、非アクセス層プロトコルと言われる。
【００２２】
各プロトコルをユーザ・プレーンと制御プレーンに分ける縦の分割が、図４では明示されている。無線リソース制御（ＲＲＣ）プロトコルは、ＵＴＲＡ無線インタフェース（Ｕｕ）のより下位層のプロトコルを制御する制御プレーンの第３層のプロトコルである。
【００２３】
ＲＲＣ制御は、現在は、通常ＵＴＲＡＮのＲＮＣで終端されるが、現在検討されているＬＴＥアーキテクチャに関して検討された、例えば、拡張型ノードＢなどのその他のネットワーク要素もＵＴＲＡＮ中のＲＲＣプロトコルを終端させるものとして考慮されている。ＬＴＥ向けのＲＲＣプロトコル（いわゆるＥ−ＲＲＣプロトコル）は、拡張型ノードＢで終端される。ＲＲＣプロトコルは、各ＵＥへ至る無線インタフェースの無線リソースへのアクセスを制御するための制御情報のシグナリングのために使用される。さらに、ＲＲＣプロトコルが、非アクセス層内での制御に通例は関係付けられる非アクセス層メッセージをカプセル化して伝送する可能性もある。
【００２４】
制御プレーンにおいて、ＲＲＣプロトコルは、サービス・アクセス・ポイント（ＳＡＰ）を通じたシグナリング用ＳＡＥ無線ベアラを介して、第２層、すなわち無線リンク制御（ＲＬＣ）プロトコルへ制御情報を中継する。ユーザー・プレーンでは、非アクセス層プロトコル・エンティティは、ＳＡＰを介して第２層へ直接アクセスするためにＳＡＥ無線ベアラを使用できる。アクセスは、ＲＬＣへ直接なされてもよいし、または順次にそのＰＤＵをＲＬＣプロトコル・エンティティへ供給するパケット・データ・コンバージェンス・プロトコルへなされてもよい。
【００２５】
ＲＬＣは、そのＳＡＰを通じて、より上位の層にサービスを提供する。ＲＲＣコンフィギュレーションは、ＲＬＣがどのようにパケットを処理するか、例えば、ＲＬＣがトランスペアレント・モード、応答モードまたは非応答モードで動作するかを定義する。制御プレーン内とユーザ・プレーン内のより上位の層に、ＲＲＣまたはＲＤＣＰによって提供されるサービスは、それぞれ、シグナリング用ＳＡＥ無線ベアラとＳＡＥ無線ベアラとも言われる。
【００２６】
ＭＡＣ／ＲＬＣ層は、次に、そのサービスを、いわゆる論理チャネルを用いてＲＲＣ層に提供する。論理チャネルは、基本的に、どの種類のデータが伝送されるかを定義する。物理層は、そのサービスを、いわゆるトランスポート・チャネルとしてＭＡＣ／ＲＬＣ層へ提供する。トランスポート・チャネルは、 ＭＡＣ層から受信したデータを物理チャネルを介してどのように、どんな特性を付けて送信するかを定義する。
【００２７】
（ブロードキャスト）システム情報の構成
３ＧＰＰ用語では、（ブロードキャスト）システム情報は、ＢＣＣＨ情報とも名付けられている。すなわち、ＵＥがそこに接続されている（アクティブ状態）またはそこにアタッチされている（アイドル状態）無線セルのブロードキャスト制御チャネル（論理チャネルである）上で伝送される情報をさす。ＢＣＣＨ上の情報の構成を図５に示す。一般に、システム情報はマスター情報ブロック（ＭＩＢ）と数個のシステム情報ブロック（ＳＩＢ）を含む。ＭＩＢは、各システム情報ブロックについての制御情報を含む。各ＳＩＢに関連付けられた制御情報は、次の構成をとることができる。ＳＩＢに関連付けられた各制御情報は、それが共通タイミング基準に相対して送信されるトランスポート・チャネル上のＳＩＢの位置（例えば、ＯＦＤＭ無線アクセス用の時間−周波数プレーン内の位置、すなわち、各ＳＩＢの送信に割り当てられる特定のリソース・ブロック内の位置）を指示できる。さらに、ＳＩＢの繰返し周期も指示され得る。この繰返し周期は、各ＳＩＢが送信される周期を示す。上記制御情報はまた、タイマーに基づいた更新メカニズムのためのタイマー値、または代替的に、ＳＩＢ情報のタグに基づいた更新のための値タグを含むことができる。
【００２８】
下表は、http://www.3gpp.orgにて得られる非特許文献２―参照により本文書に援用される―に定義された、ＵＭＴＳレガシー・システムにおけるシステム情報の類別及びタイプの概要を示す。システム・ブロードキャスト情報の各ＳＩＢへの分類は、その内容と表の３番目の欄に示される経時可変性に基づく。
【００２９】
【表１】
2010506446.tif 000003
【００３０】
長期的発展（ＬＴＥ）の要件
非特許文献３（http://www.3gpp.orgで得られ、参照により本文書に援用される）によると、進化ＵＭＴＳ地上無線アクセス（Ｅ−ＵＴＲＡ）は、アップリンクとダウンリンク両方で、1.25 MHz、2.5 MHz、5 MHz、10 MHz、15 MHz及び20 MHzを含む様々なサイズのスペクトル割当て内で動作するものとする。加えて、Ｅ−ＵＴＲＡは独立して動作可能であるものとする、すなわち、他システムからのシグナリング・サポートのために利用可能なその他のキャリアを必要としない。
【００３１】
非特許文献３はまた、前述した主要目的の一つである、制御プレーンのレイテンシーを大幅に減少させることを主にめざす。これは、ＵＥの異なる動作状態間の遷移時間、すなわち、キャンプされた状態（例えば、ＵＭＴＳリリース６のアイドル・モードまたはＬＴＥ＿アイドル状態またはモード）からアクティブ状態（例えば、ＵＭＴＳリリース６のセル＿ＤＣＨ状態またはＬＴＥ＿アクティブ状態またはモード）へ当該ＵＥ用のユーザ・プレーンが確立されるようになるまでの時間（ダウンリンク・ページング遅延と非アクセス層シグナリング遅延を除く）が100 ms未満とすることを意味する。
【００３２】
一般に、ＵＥがセル選択／再選択処理を終了し、セルを選択してからＬＴＥアイドル・モードになっている場合、ＵＥはセル上にキャンプされている（またはセルにアタッチされている）と言われる。このキャンプされた状態のとき、ＵＥはシステム情報を送信するように構成されたトランスポート・チャネルを、（多くの場合）ページング情報チャネルをモニターする。ＬＴＥ＿アクティブ状態では、制御情報をやり取りする目的でシグナリング用ＳＡＥ無線ベアラが確立され、ＵＥはユーザ・プレーン情報を受信し、システム情報を送信するように構成されたトランスポート・チャネルをモニターできる。
【００３３】
スペクトル配置、システム帯域幅及びＵＥの能力
先に説明したように、Ｅ−ＵＴＲＡは各々のスペクトル配置内で独立に動作するものとする。様々なスペクトル配置に対応するシステム帯域幅は、1.25、2.5、5.0、10.0、15.0 及び20.0 MHzになると思われる。しかし、これらのシステム帯域幅サイズの各々について、アクティブ・モードまたはアイドル・モード（ＬＴＥ ３ＧＰＰシステムの場合にはＬＴＥ＿アクティブ・モードとＬＴＥ＿アイドル・モードとも言われる）においてある特定の帯域幅能力をもつＵＥの周波数領域における実際の位置（ＵＥキャンピング）に依存するいくつかのシナリオを定義し得る。ＬＴＥ標準化の第ＩＩ段階における現在の合意によれば、端末の帯域幅能力は、少なくとも10 MHzあることがよいとされる。図６は、説明の一般性を失うことなく、 等しいサイズの３個のサブバンドに分割された15 MHzのシステム帯域幅サイズを想定し、各端末固有の帯域幅能力が5、10及び15 MHzであると仮定した場合の典型的な配置のシナリオを示す。
【００３４】
TSG RAN WG1の現在の決定によれば（非特許文献４を参照―http://www.3gpp.orgで得られ、参照により本文書に援用される）、ブロードキャスト・システム情報は、システム帯域幅の中心部で送信される。図７に示すように、ＬＴＥ＿アクティブのＵＥが無線セルＡのシステム帯域幅の上側部分または下側部分に配置されるとすれば、当該ＵＥは無線セルＢのシステム帯域幅の中心部でブロードキャストされるシステム情報を復号できない。
【００３５】
モビリティ管理−中断時間
ＬＴＥでは、アクティブ状態またはモードにある端末の同一ＲＡＴ（無線アクセス・テクノロジー）内モビリティがハード・ハンドオーバ手順によって実現される。図８は、第３層のメッセージ（ＬＴＥではＥ−ＲＲＣプロトコル・メッセージ）のレベルでのハード・ハンドオーバ手順を示し、その中でハンドオーバにより生じる対応する中断時間を示す。ＵＥが接続性をもたない中断時間（すなわち、元のセルからデタッチし（離れて）、移動先セルにおいてアクティブ・モードに入るまでの時間）は、移動先の拡張型ノードＢのブロードキャスト制御チャネルからのシステム情報（ＳＩＢ５，ＳＩＢ７及びＳＩＢ１７）の取得のために増加される。
【００３６】
システム情報は、元のノードＢから［Ｅ−ＲＲＣ］ハンドオーバ指示メッセージ受信後でなければ取得できない。移動先セルにおける各ＳＩＢについてのスケジューリング情報を含むＭＩＢの受信が、システム・アクセスと第３層の接続性確立のために関連する各ＳＩＢを受信するために必要であるから、移動先セルにアタッチしているＵＥがＭＩＢを受信する前に関連するシステム情報（各ＳＩＢ）を受信することは不可能である。［Ｅ−ＲＲＣ］ハンドオーバ指示を受信するほんの少し前にＭＩＢが送信された場合、同ＭＩＢを受信し、その後にシステム・アクセスのための関連する各ＳＩＢを受信できるためには、ＵＥはしたがってＭＩＢのほぼ全繰返しサイクルを待つ必要がある。これは、結果的に、中断時間を約50 ms増加させることになるとみられる。制御プレーンのレイテンシーを100 ms未満にするというＬＴＥ要件を考えると、この増加は重大である。
【００３７】
さらに、完全なハンドオーバ手順を完了するのに必要な時間も、移動先のノードＢからの隣接セル・リスト（ＮＣＬ）の取得に依存する。より詳細な説明は後で述べるが、ＮＣＬは移動端末が周波数間測定を実行するために必要であることを短く述べておく。ここでも、ＵＥが移動先セルにおけるＮＣＬにアクセスするためには、いつ、どこでＮＣＬを取得するのかを知るために、移動先のノードＢから送信されるＭＩＢを最初に処理しなければならない。移動先セルのＮＣＬを受信後はじめて、ＵＥは前記移動先セル内での測定を実行できる。
【００３８】
もう一つの問題点は、ＬＴＥ＿アイドル・モードにある端末についての同一ＲＡＴ内モビリティである。通常、この状態でのモビリティ管理はセル選択（再選択）手順によって管理される。制御プレーンのレイテンシーを減少させるという要件と中断時間を減少させるという一般サービス・ベースの要件を考えると、Ｅ−ＲＲＣ状態機械のＬＴＥ＿アクティブ（元のセル）→ＬＴＥ＿アイドル（元のセル）→ ＬＴＥ＿アイドル（移動先セル）→ＬＴＥ＿アクティブ（移動先セル）という状態遷チェーンにおけるレイテンシーを最小にすることが重要である。
【００３９】
上記チェーン中の２番目の遷移はセル再選択を伴うと仮定すると、これは、図９に示すセル再選択手順の中断時間を減少させるという要件に変換される。［Ｅ−ＲＲＣ］Ｅ−ＲＲＣ接続解放メッセージを受信してからシステム情報を取得する必要があり、これは、ハンドオーバ指示メッセージの受信後にはじめてシステム情報が取得されるハンドオーバ手順について上述したケースと同様である。したがって、中断時間を減少させるという同じ要件が、ＬＴＥ＿アイドル状態のＵＥのモビリティ管理（セル再選択手順）にもあてはまる。
【００４０】
ＬＴＥアクティブのモビリティ管理（ハード・ハンドオーバ手順）の場合の移動先セルにおけるシステム・アクセスのために必要な各ＳＩＢは、移動先セルのＭＩＢを復号した時点後にはじめて受信可能となるため、アクティブ・モードにあるＵＥのモビリティ手順のレイテンシーは、ＬＴＥシステムについて定義された約100msの所望の中断時間を達成するには高すぎると思われる。同様の考察が、セル選択（再選択）後に移動先セルへアクセスするために必要なシステム情報の取得についてもあてはまる。
【００４１】
上記の考察から、及び周波数間セル測定の設定に必要な情報は、システム情報の一部をなす「隣接セル・リスト」において送信されると仮定すると、特定のシステム情報の取得が、ＬＴＥ＿アクティブのモビリティ手順（ハンドオーバ）またはセル再選択プロセス中の候補セルの評価を実行させる条件として必要であるとさらに結論付けることができる。セル再選択手順中に前記システム情報を適時に取得することが中断時間を減少させることは、結局、明白である。
【非特許文献１】3GPP TS 25.401: "UTRAN Overall Description"
【非特許文献２】3GPP TS 25.331, "Radio Resource Control (RRC)", version 6.7.0, section 8.1.1
【非特許文献３】3GPP TR 25.913, “Requirements for Evolved UTRA (E-UTRA) and Evolved UTRAN (E-UTRAN)”, version 7.3.0
【非特許文献４】3GPP TR 25.814, “Physical Layer Aspects for Evolved UTRA”, version 1.4.1
【非特許文献５】3GPP RAN LTE ad hoc Tdoc R2-062016, “UL Timing Acquisition in LTE HO”
【発明の開示】
【発明が解決しようとする課題】
【００４２】
本発明の目的は、上に概説した問題の少なくとも一つを克服するためのメカニズムを提案することである。本発明のより詳しい目的は、手順に伴う必要な時間を減少させるように、システム情報の現在の取得手順の改良を提案することである。
【課題を解決するための手段】
【００４３】
上記の目的の少なくとも一つは、独立請求項の主題によって解決される。本発明の有利な実施形態は、従属請求項の主題である。 
【００４４】
本発明のある態様によれば、移動端末には、他セルのシステム情報を取得するために必要な情報（ポインタ）が予め提供される。これは、移動端末が現在その中にいるセルを制御する基地局が、他セルの関連システム情報への少なくとも一つのポインタを移動端末へ送信することを含んでなる。言い換えれば、移動端末は、その現在の基地局から、ハード・ハンドオーバ手順を実行中に前記次のセルへの接続された状態に実際になる前に、またはセル再選択手順を実行中に次のセルにアタッチされた状態になる前に、将来のセルにおいて関連システム情報がいつ、どこで送信されるかを知るようになる。当然、これにより得られる利点は、移動先セルのＭＩＢは関連システム情報を取得するために必要ではなくなり、そのことが時間とリソースを節減することである。
【００４５】
一つの実施形態では、上記ポインタは、移動先セル内でブロードキャスト／送信される、移動先セル特有のシステム情報のスケジューリング情報を指示することができる。本発明の別の実施形態では、上記ポインタは、移動先セルへのシステム・アクセス及び／または、 例えば、ハンドオーバまたはセル再選択などのモビリティ手順のために必要である移動先セルにおけるシステム情報を指し示す。
【００４６】
本発明の別の態様は、端末が現在その中にいるセルのブロードキャスト・チャネル上で、他セルのシステム情報へのスケジューリング情報（ポインタ）をブロードキャストすることである。異なる周波数キャリアが異なるセルによってそれぞれ使用されている場合、これは、上記ポインタが、移動端末の現在のセルによって使用されている第１の周波数キャリア上で送信されることを意味する。さらに、上記システム情報は、将来のセルに属する第２の周波数キャリアを介して送信／ブロードキャストされる。したがって、異なる周波数が使用されている場合、移動端末は、移動ノードが現在キャンプされている周波数以外の他の周波数について周波数間測定を定期的に（またはオペレータ始動により）実行する必要がある。この点で、現在のセルの基地局を介して送信される上記ポインタが他セルの関連システム情報（ＮＣＬ）を直接指し示すので、他の周波数キャリアへの切り換え時に、移動端末は関連システム情報を受信／取得することが即座に可能になる。
【００４７】
本発明の別の態様は（制御メッセージへのポインタを含む態様と有利に組み合わせることができる）、システム情報を送信することの柔軟性(flexibility)を増加する。これによれば、セルのシステム情報は、固定速度のトランスポート・チャネルを介して及び／または変動速度(flexible-rate)のトランスポート・チャネルを介して送信される。したがって、元のセル内で移動端末へ送信される上記ポインタは、例えば、システム情報またはその個々の分割部分のトランスポート・フォーマットなどのスケジューリング情報、及び／またはシステム情報またはその個々の分割部分を固定速度のトランスポート・チャネル及び／または変動速度のトランスポート・チャネルへマッピングすることの指示を指示できる。
【００４８】
本発明の一つの実施形態は、第２のセル内でブロードキャストされる第２のセルのシステム情報について移動端末に通知するための方法を提供する。上記移動端末は、移動通信システムの第１のセル内にいる。第２のセルのシステム情報への少なくとも一つのポインタが、移動端末が第１のセル内にいる間に、第１のセルの基地局から移動端末へ送信される。
【００４９】
本発明の有利な実施形態によると、第２のセルのシステム情報は、第２のセル内で第２の周波数キャリア上でブロードキャストされる。第１のセルの基地局は、通信のために第１の周波数キャリアを使用し、第２の周波数キャリア上でブロードキャストされるシステム情報への少なくとも一つのポインタを第１の周波数キャリア上でブロードキャストする。
【００５０】
本発明のさらに別の実施形態では、移動端末は第１の周波数キャリアをリッスンしていて、第１の周波数キャリア上でブロードキャストされる上記少なくとも一つのポインタを受信する。さらに、上記少なくとも一つのポインタは、第２の周波数キャリア上でブロードキャストされるシステム情報を移動端末に直接指し示す。次に、移動端末は、受信した上記少なくとも一つのポインタを使用して、第２の周波数キャリア上のシステム情報を取得する。
【００５１】
別の実施形態は、システム情報が少なくとも一つのシステム情報ブロックの形態でブロードキャストされることに関係する。
【００５２】
本発明の別の違った実施形態に関して、上記少なくとも一つのポインタは、第１の周波数キャリアの第１のブロードキャスト・トランスポート・チャネル上でブロードキャストされ、上記システム情報は、第２の周波数キャリアの第２のブロードキャスト・トランスポート・チャネル上でブロードキャストされる。
【００５３】
本発明の別の実施形態によると、第１及び第２のブロードキャスト・トランスポート・チャネルは、それぞれ、固定速度のブロードキャスト・トランスポート・チャネルと変動速度のブロードキャスト・トランスポート・チャネルを含んでなる。したがって、上記システム情報は、第２の固定速度のブロードキャスト・トランスポート・チャネル及び／または第２の変動速度のブロードキャスト・トランスポート・チャネル上でブロードキャストされる。
【００５４】
本発明の有利な実施形態では、上記少なくとも一つのポインタは、第１の固定速度のブロードキャスト・トランスポート・チャネル及び／または第１の変動速度のブロードキャスト・トランスポート・チャネル上でブロードキャストされる。
【００５５】
本発明の別の実施形態に関して、上記システム情報は、移動端末による周波数間測定を実行するために必要な情報である。
【００５６】
本発明のさらに別の実施形態によると、上記システム情報は、第２の周波数キャリアの隣接セル・リストに関係する。
【００５７】
本発明のさらに代替的な実施形態に関して、上記システム情報は、移動端末によるモビリティ手順を実行するために必要な情報である。
【００５８】
本発明のさらに追加の実施形態では、モビリティ手順は、接続性またはアタッチメント・ポイントを元のセルから移動先セルへ変更することを含む。また、上記少なくとも一つのポインタは、元のセル内で第１の周波数キャリアを介して送信される。上記システム情報は、移動先セル特有のシステム情報であり、移動先セル内で第２の周波数キャリアを介して送信される。
【００５９】
本発明のさらに別の実施形態によると、第１の周波数キャリアは、移動端末との通信のために第１の基地局によって使用され、第２の周波数キャリアは、移動端末との通信のために第２の基地局によって使用される。第２の周波数キャリア上でブロードキャストされるシステム情報への上記少なくとも一つのポインタは、第２の基地局から第１の基地局へ送信される。
【００６０】
本発明の別の実施形態では、上記少なくとも一つのポインタは、定期的に、または第２の基地局で上記少なくとも一つのポインタが変更された後、または第１の基地局からの上記少なくとも一つのポインタの要求を第２の基地局で受信後、第２の基地局から第１の基地局へ送信される。
【００６１】
本発明のさらに有利な実施形態に関して、特定の周波数キャリアに属する特定のシステム情報が、前記特定の周波数キャリア上でのみブロードキャストされ、上記特定の周波数キャリアは複数の周波数キャリアのうちの一つである。さらに、特定のシステム情報への少なくとも一つのポインタが、移動通信システムの上記複数の周波数キャリアの各々でブロードキャストされる。
【００６２】
本発明のより詳しい実施形態によれば、移動端末のデータ送信ストリーム中に少なくとも一つの取得間隔が、移動通信システムによって移動端末へ割り当てられる。特に、前記少なくとも一つの取得間隔は、受信した上記少なくとも一つのポインタを使用して第２の周波数上のシステム情報を取得するために、移動端末によって使用される。
【００６３】
本発明の別の実施形態では、第２の周波数キャリア上でブロードキャストされるシステム情報は、隣接セル・リストに関係する。さらに、上記隣接セル・リストの第１の部分は接続状態にある移動端末に適用し、上記隣接セル・リストの第２の部分はアイドル状態にある移動端末に適用する。この場合には、第１の周波数キャリア上でブロードキャストされる上記隣接セル・リストへの上記少なくとも一つのポインタは、接続状態にある移動端末に適用する上記隣接セル・リストの上記第１の部分に対応する第１の部分と、アイドル状態にある移動端末に適用する上記隣接セル・リストの上記第２の部分に対応する第２の部分に分けられる。これは、元のセルにおける上記ポインタの送信、繰返し、負荷及び取得時間に関して増大した柔軟性をもたせることができる。
【００６４】
本発明の代替的な実施形態によると、第２の周波数キャリア上でブロードキャストされるシステム情報は、隣接セル・リストに関係する。そして、上記隣接セル・リストの第１の部分は低いデータ伝送速度をサポートし、上記隣接セル・リストの第２の部分は高いデータ伝送速度をサポートする。この場合には、第１の周波数キャリア上でブロードキャストされる上記隣接セル・リストへの上記少なくとも一つのポインタは、低いデータ伝送速度をサポートする上記隣接セル・リストの上記第１の部分に対応する第１の部分と、高いデータ伝送速度をサポートする上記隣接セル・リストの上記第２の部分に対応する第２の部分に分けられる。
【００６５】
本発明の別の違った実施形態では、移動通信システムは時間的に非同期である。この場合には、第２の周波数キャリアの送信タイミングに移動端末を同期させるために、第２の周波数キャリアから同期化情報が移動端末によって取得される。
【００６６】
本発明のより詳しい実施形態では、上記同期化情報は、第２のセルの固定速度のブロードキャスト・トランスポート・チャネル上でブロードキャストされるシステム・フレーム番号である。
【００６７】
本発明の別の実施形態は、第２のセル内でブロードキャストされる第２のセルのシステム情報について移動端末に通知するための基地局を提供し、ここで上記移動端末は移動通信システムの第１のセル内にいる。上記基地局の送信機は、移動端末が第１のセル内にいる間に、第２のセルのシステム情報への少なくとも一つのポインタを移動端末へ送信する。
【００６８】
本発明の別の実施形態によれば、第２のセルのシステム情報は、 第２のセル内で第２の周波数キャリア上でブロードキャストされ、第１のセルの基地局は通信のために第１の周波数キャリアを使用する。より詳しく言えば、基地局の送信機は、第２の周波数キャリア上でブロードキャストされるシステム情報への上記少なくとも一つのポインタを第１の周波数キャリア上でブロードキャストする。
【００６９】
本発明のいくつかの実施形態では、基地局は、移動端末と通信するために第１及び第２の周波数キャリアを使用する。
【００７０】
本発明のより詳しい実施形態に関して、基地局の送信機は、第１の周波数キャリアの第１のブロードキャスト・トランスポート・チャネル上で上記少なくとも一つのポインタをブロードキャストする。また、送信機は、第２の周波数キャリアの第２のブロードキャスト・トランスポート・チャネル上でシステム情報をブロードキャストし、上記第１及び第２のブロードキャスト・トランスポート・チャネルは、それぞれ、固定速度のブロードキャスト・トランスポート・チャネルと変動速度のブロードキャスト・トランスポート・チャネルを含んでなる。基地局の送信機は、さらに、第２の固定速度のブロードキャスト・トランスポート・チャネル及び／または第２の変動速度のブロードキャスト・トランスポート・チャネル上でシステム情報をブロードキャストする。さらに、送信機は、第１の固定速度のブロードキャスト・トランスポート・チャネル及び／または第１の変動速度のブロードキャスト・トランスポート・チャネル上で上記少なくとも一つのポインタをブロードキャストする。
【００７１】
本発明の別の実施形態は、上記第１及び第２の周波数キャリアは、それぞれ、移動通信システムの階層セル構成において使用される複数の周波数キャリアのうちの一つであるということに関係する。したがって、送信機は、特定の周波数キャリア上でのみブロードキャストされる特定のシステム情報への少なくとも一つの特定のポインタを上記複数の周波数キャリアの各々でブロードキャストするようにさらに適合される。
【００７２】
本発明の別の実施形態では、基地局は移動端末との通信のために第１の周波数キャリアを使用し、第２の基地局は移動端末との通信のために第２の周波数キャリアを使用する。受信器は、第２の基地局から、その基地局の第２の周波数キャリア上でブロードキャストされるシステム情報への上記少なくとも一つのポインタを受信する。
【００７３】
本発明のより詳しい実施形態は、送信機が上記少なくとも一つのポインタの要求を第２の基地局へ送信することを要求する。次に、受信器は、定期的に、または第２の基地局で上記少なくとも一つのポインタに変更があった後、または送信された上記要求に応答して、上記少なくとも一つのポインタを第２の基地局から受信する。
【００７４】
本発明のより詳しい実施形態によると、プロセッサが、移動端末のデータ送信ストリーム中に少なくとも一つの取得間隔を移動端末に割り当てる。特に、前記少なくとも一つの取得間隔は、受信した少なくとも一つのポインタを使用して第２の周波数キャリア上のシステム情報を取得するために、移動端末によって使用される。しかるべく、上記送信機は、上記少なくとも一つの取得間隔の割当てに関する情報を移動端末へ送信するように適合される。
【００７５】
本発明のさらに有利な実施形態では、上記システム情報は隣接セル・リストに関係する。しかるべく、上記隣接セル・リストの第１の部分は接続状態にある移動端末に適用でき、上記隣接セル・リストの第２の部分はアイドル状態にある移動端末に適用できる。前記の場合には、上記送信機は、第１の周波数キャリア上で、接続状態にある移動端末に適用する上記隣接セル・リストの上記第１の部分への上記少なくとも一つのポインタの第１の部分をブロードキャストする。同じく、上記送信機は、アイドル状態にある移動端末に適用する上記隣接セル・リストの上記第２の部分への上記少なくとも一つのポインタの第２の部分をブロードキャストする。
【００７６】
本発明のより詳しい実施形態に関して、上記システム情報は隣接セル・リストに関係し、上記隣接セル・リストの第１の部分は低いデータ伝送速度をサポートし、上記隣接セル・リストの第２の部分は高いデータ伝送速度をサポートする。そして、上記送信機は、第１の周波数キャリア上で、低いデータ伝送速度をサポートする上記隣接セル・リストの上記第１の部分への上記少なくとも一つのポインタの第１の部分をブロードキャストする。加えて、上記送信機は、高いデータ伝送速度をサポートする上記隣接セル・リストの上記第２の部分への上記少なくとも一つのポインタの第２の部分をブロードキャストする。
【００７７】
本発明の一つの実施形態は、移動通信システム内で通信するために、第１のセル内に現在いる移動端末を提供し、第２のセルのシステム情報が第２のセル内でブロードキャストされる。受信器は、移動端末が第１のセル内にいる間に、第２のセル内でブロードキャストされるシステム情報への少なくとも一つのポインタを第１のセルの基地局から受信する。
【００７８】
本発明のさらに有利な実施形態では、上記システム情報は第２のセル内で第２の周波数キャリア上でブロードキャストされ、第１のセルの基地局は通信のために第１の周波数キャリアを使用する。さらに、受信器は、第２の周波数キャリア上でブロードキャストされる上記システム情報への上記少なくとも一つのポインタを第１の周波数キャリア上で基地局から受信する。
【００７９】
本発明の別の実施形態によれば、上記移動端末は第１の周波数キャリアをリッスンしていて、上記少なくとも一つのポインタは、第２の周波数キャリア上でブロードキャストされる上記システム情報を直接指し示す。したがって、上記受信器は、受信した上記少なくとも一つのポインタを使用して、第２の周波数キャリア上の上記システム情報を取得する。
【００８０】
本発明の別の実施形態は、移動通信システムが、移動端末のデータ送信ストリーム中に少なくとも一つの取得間隔を移動端末に割り当てることに関係する。上記受信器は、上記少なくとも一つの取得間隔の割当てについての情報をさらに受信する。次に、上記受信器は、受信した上記少なくとも一つのポインタを使用して、上記取得間隔内で第２の周波数キャリア上の上記システム情報を取得する。
【００８１】
本発明の別の違った実施形態によると、移動通信システムは時間的に非同期であり、上記受信器は、第２の周波数キャリアの送信タイミングに移動端末を同期させるために、第２の周波数キャリアから同期化情報を取得する。
【発明を実施するための最良の形態】
【００８２】
以下に、添付の図及び図面を参照して本発明をさらに詳細に説明する。図中の類似のまたは同等の細部は、同一の参照番号を付けてある。
【００８３】
以下のパラグラフでは、本発明の様々な実施形態を説明する。典型的な例を示すという目的でのみ、実施形態の大部分は、前述の背景技術の節及び以降での説明による３ＧＰＰ ＬＴＥ通信システムに関連して概説される。本発明は、例えば、３ＧＰＰ ＬＴＥ通信システムなどの移動通信システムに関連して有利に使用され得るが、本発明はこの特定の例示的な通信ネットワークにおける使用に限定されないことに留意すべきである。
【００８４】
前述の背景技術の節で述べた説明は、本文書に説明する主に３ＧＰＰの特徴を生かした例示的な実施形態をよりよく理解してもらうためのものであり、移動通信ネットワークにおけるプロセス及び機能のここで述べた特定の実現に本発明を限定するものと理解すべきではない。しかしながら、本文書で提案する改良は、背景技術の節で説明したアーキテクチャ／システムに容易に適用可能であり、本発明のいつかの実施形態では、これらのアーキテクチャ／システムの標準的な手順と改良された手順を利用することもできる。
【００８５】
定義
本文書において頻繁に使用されるいくつかの用語の定義を以下に述べる。
【００８６】
移動ノードは、通信ネットワーク内の物理的エンティティである。一つのノードは数個の機能エンティティを有し得る。機能エンティティとは、所定の一組の機能を実現する、及び／または所定の一組の機能をノードのその他の機能エンティティへまたはネットワークへ提供するソフトウェアまたはハードウェア・モジュールをさす。ノードは、それを介してノードが通信可能になる通信設備または媒体にノードをアタッチする一つ以上のインタフェースを有し得る。同様に、ネットワーク・エンティティは、それを介してその他の機能エンティティまたは通信相手のノードと通信可能になる通信設備または媒体に、自分の機能エンティティをアタッチする論理的インタフェースを有し得る。
【００８７】
システム情報は、例えば、特定のセルへアタッチ／接続するためには、または前記セル内の測定等を実行するためには、移動ノードによって必ず取得されなければならない、特定のセルに特有の情報または複数のセルに共通の情報として理解することができる。
【００８８】
すでに概要を述べたように、本発明の一つの態様は、他セルからのシステム情報の取得の改良、例えば、ハード・ハンドオーバやセル再選択手順の遅延を最小にする改良を提案することである。これに対応して、移動端末が現在その中にいる（元の基地局によって制御される）元のセルから、（移動先の基地局によって制御される）予定移動先セルの前記システム情報へのポインタをブロードキャストすることが提案される。
【００８９】
本発明の一つの実施形態によれば、上記ポインタは、元の無線セルを通じて基地局から移動端末へ送信される。上記ポインタは、 移動先セル特有のシステム情報を移動端末に直接指し示す。例えば、セル再選択の場合には、可能性のある複数の移動先セルのうちの各移動先セルにおける移動先セル特有のシステム情報を移動端末に指し示すポインタは、一つまたは複数ある可能性がある。これらの可能性のある移動先セルは、通常、元のセルに隣接するいくつかの無線セルの少なくとも一つである。 (可能性のある）移動先セルにおける移動先セル特有のシステム情報を移動端末に指し示すことにより、移動端末は、移動先セルへアタッチすると同時に、移動先セルにおけるセル特有のシステム情報を受信可能になり、移動先セル特有のシステム情報へのポインタ(または複数のポインタ）を移動先セルを通じてその前に受信する必要はない。
【００９０】
上記ポインタは、移動先セル特有のシステム情報の少なくとも一部（例えば、少なくとも一つのＳＩＢ）に適用可能である、移動先セルのＭＩＢに存在する制御情報の集まり（例えば、使用されるトランスポート・チャネル上のＳＩＢの位置、すなわち、共通タイミング基準に相対する時間−周波数プレーンにおける位置、繰返し周期及び値タグ）をモジュールのように含むことができる。
【００９１】
一つの実施形態では、移動先セルのセル特有のシステム情報は、移動先セルの無線インタフェース上の接続性を確立するためのシステム情報または移動先セルへのアタッチメント・ポイントの変更に関連する情報を含む。例えば、この関連システム情報は、移動先セルにおける共通物理チャネルの設定に関する情報及び／または移動先セルにおいてシステム情報の送信に使用される変動速度の物理チャネルまたは共有物理チャネルの設定に関する情報であり得る。選択的に、上記関連システム情報は、移動先セルにおけるアップリンク干渉に関する情報をさらに含んでもよい。
【００９２】
代替的に、関連システム情報は、移動先セルにおけるセル再選択パラメータに関する情報及び／または移動先セルにおける干渉に関する情報であってもよい。この代替において選択的に、上記関連システム情報は、移動先セルにおける共通物理チャネルの設定に関する情報をさらに含んでもよい。
【００９３】
より具体的な例では、上記関連システム情報は、以下に述べる情報であり得る。ハンドオーバ手順またはセル再選択手順のどちらが実行されるかに応じて、以下に概説する情報の異なる組合せが、移動先セルの無線インタフェースの接続性の確立に関連するとみなされるか、または移動先セルにおけるアタッチメント・ポイントの変更に関連する情報であるとみなされることに留意されたい。以下に挙げるシステム情報の部分の各々は、個々のシステム情報ブロック内に含めることができる。
【００９４】
システム情報の一つの重要な部分は、セル選択パラメータである。セル再選択に特に関連し得るこれらのパラメータは、移動端末がそこへアタッチできる可能性のある無線セルのセル識別、セル選択及び再選択情報（例えば、セル選択及び再選択の品質測定）、アクセス制限情報などを含んでなり得る。前掲の表１に示した典型的な類別を適用すると、この情報は、例えば、システム情報ブロックＳＩＢ３内に含めることができる。
【００９５】
モビリティ手順を実行するためのシステム情報の別の関連部分は、可能性のある移動先セルの共通物理チャネルの設定である。この情報は、ハンドオーバの場合に特に関連し得るが、セル再選択の場合にも役立ち得る。共通物理チャネルの設定は、例えば、ページング・チャネルを含んでなるページング・チャネル・設定、時間−周波数プレーンにおけるリソース・ブロックの割当て、使用される変調及び符号化方式、さらに時間−周波数プレーンにおけるＲＡＣＨ（ランダム・アクセス・チャネル）チャネルの設定（例えば、アクセス・スロットの割当て）を含み得る。前掲の表１に示した典型的な類別を適用すると、この情報は、例えば、システム情報ブロックＳＩＢ５内に含めることができる。
【００９６】
システム情報のさらに別の関連部分は、例えば、セル再選択時に重要になり得るセルのアップリンク干渉に関する情報であり得る。この情報は、ランダム・アクセス手順においてバックオフによる付加遅延を回避できるという点で、意義をもち得る。アップリンク干渉情報は、時間−周波数プレーンにおいて定義されたランダム・アクセス・チャネルごとのアップリンク干渉情報を含んでなり得る。前掲の表１に示した典型的な類別を適用すると、この情報は、例えば、システム情報ブロックＳＩＢ７内に含めることができる。
【００９７】
システム情報の別の関連部分は、接続モードにおける共有物理チャネルの設定に関する情報であり得る。特に重要とされるのは、アップリンク及びダウンリンクＳＣＨ（共有チャネル）とそれに付随したＬ１／Ｌ２（第１層／第２層）制御チャネルにおける上記情報である。上記付随したＬ１／Ｌ２制御チャネルは、通常、ダウンリンク・データ送信のためのスケジューリング情報、アップリンク・データ送信のためのスケジューリング・グラント、及びアップリンク・データ送信のためのＡＣＫ／ＮＡＣＫを伝送し得る。さらに詳しく言うと、各チャネルの設定は、時間−周波数プレーンにおけるリソース・ブロックの割当てと使用される変調及び符号化方式を含んでなり得る。前掲の表１に示した典型的な類別を適用すると、この情報は、例えば、システム情報ブロックＳＩＢ１７内に含めることができる。
【００９８】
本発明の一つの実施形態では、個々の種類のシステム情報は、システム情報ブロックに種類別に入れられ得る。したがって、指し示された移動先セル特有のシステム情報が個々のシステム情報ブロックで別々に通信されるとすれば、ポインタはシステム情報ブロックの各々を指し示せる。
【００９９】
別の実施形態では、移動先セル特有のシステム情報は、３ＧＰＰベースのシステムでは、例えば、ＢＣＣＨなどのブロードキャスト制御論理チャネルのデータであり、各セル内のすべての端末へブロードキャストされることになる。移動先セル特有のシステム情報は、したがって、移動先セルのブロードキャスト制御論理チャネルの一つ以上のシステム情報ブロックであり得る。本発明の一つの実施形態では、無線セル内の送信用の単一のブロードキャスト（トランスポート）チャネルにシステム情報ブロックをマッピングすることができる。別の実施形態では、複数のトランスポート・チャネル、例えば、固定速度のトランスポート・チャネル及び／または変動速度のトランスポート・チャネルにシステム情報ブロックをマッピングすることができる。固定速度のトランスポート・チャネルは、固定速度のブロードキャスト・チャネルまたは一次ブロードキャスト・チャネルと表記されることもあり、一方、変動速度のトランスポート・チャネルは、可変速度のブロードキャスト・チャネル、二次ブロードキャスト・チャネルまたは動的係数ブロードキャスト・チャネルと表記されることもある。言い換えれば、固定速度のトランスポート・チャネルは、したがって、ブロードキャスト論理チャネルの「固定速度の部分」とみなすこともでき、一方、変動速度のトランスポート・チャネルは、ブロードキャスト論理チャネルの「変動速度の部分」とみなすこともできる。
【０１００】
もっと後でさらに詳細に説明するが、本発明の一つの実施形態によれば、個々のシステム情報ブロック（移動先セル特有のシステム情報の一部分）を、固定速度のトランスポート・チャネルと変動速度のトランスポート・チャネルのいずれか一方またはこれらの両方にマッピングすることができる。さらに、別の実施形態では、一つ以上のシステム情報ブロック（移動先セル特有のシステム情報の一部分）を移動先セルの異なる無線リソース上で同時に送信できる。
【０１０１】
変動速度及び／または固定速度のトランスポート・チャネルへのシステム情報ブロックのマッピングは、移動端末によるこの情報の取得が端末の処理時間と電力消費の面で最適化できる点で有利であると言える。またこれにより得られるその他の利点としては、独立スペクトル割当てのすべてのサイズにおいて移動端末がブロードキャスト・システム情報を読み取る時間が改良されること、ブロードキャスト用のトランスポート・チャネルを設定する際にオペレータの柔軟性が増大すること、そして可変速度のトランスポート・チャネルにシステム情報をマッピングすることにより生じ得る、システム情報のスケジューリング効率の増加を挙げることができる。
【０１０２】
概して言うと、元のセルのチャネル上でブロードキャストされるポインタは、少なくとも一つのシステム情報ブロック（または移動先セル特有のシステム情報の一部分）のスケジューリングに関する情報を含み得る。システム情報ブロック（または移動先セル特有のシステム情報の一部分）が変動速度のトランスポート・チャネルにマッピングされる場合、ポインタは、送信フォーマット（例えば、時間−周波数プレーンにおける位置、すなわち、割り当てられたリソース・ブロックそのもの、使用される変調及び符号化方式、ＤＴＸ−不連続送信も可能である）と各システム情報ブロック（または移動先セル特有のシステム情報の一部分）の変動速度のトランスポート・チャネル上のタイミングを指示できる。システム情報ブロック （または移動先セル特有のシステム情報の一部分）が固定速度のトランスポート・チャネルにマッピングされる場合、ポインタは、各システム情報ブロックの固定速度のトランスポート・チャネル上の位置（例えば、時間−周波数プレーンにおける位置、すなわち、割り当てられたリソース・ブロックそのもの）と、選択的に、各システム情報ブロックが移動先セルの下で共通タイミング基準に相対して、それに基づいて送信されるタイミングを指定できる。最後に、両方の場合において、ポインタは、そこから情報が有効であることを示す先頭のＳＦＮ（セルのタイミング基準の共通単位であるシステム・フレーム番号）を含み得るが、当該ＳＦＮがもはや有効ではない場合には、移動先セルのブロードキャスト情報から現在のＳＦＮを取得しなければならない。さらに、システム情報ブロック（または移動先セル特有のシステム情報）を二つ以上のトランスポート・チャネルにマッピングすることが予見される場合には、ポインタは、各システム情報ブロック （または移動先セル特有のシステム情報の一部分）がそこへマッピングされるトランスポート・チャネル・タイプの指示を含むこともできる。
【０１０３】
ブロードキャスト・チャネルの変動速度の部分上での関連システム情報の送信は、移動先セルにおいて、関係したシステム情報ブロックのスケジューリングのより変動実現を可能とし得ることに留意すべきである。しかし、本発明は、移動先セルのブロードキャスト・チャネル（ＢＣＨなど）の変動速度の部分上で関連システム情報を送信することだけに限定されない。ブロードキャスト・チャネルの固定速度の部分だけが使用される本発明の実現もまた予見され得る。
【０１０４】
さらに、変動速度のトランスポート・チャネル上の送信は、「変動速度の送信」または「可変速度の送信」と言い表すこともできる（これに応じて、変動速度のトランスポート・チャネルは、可変速度のトランスポート・チャネルと表記することもできる）。
【０１０５】
３ＧＰＰベースの通信システムにおける本発明の実現に関係した一つの例示的な実施形態によれば、システム情報の変動速度の送信は、変動トランスポート・フォーマットを有するＤＬ−ＳＣＨトランスポート・チャネルまたはＢＣＨトランスポート・チャネル上での送信によって実現可能である。同様に、「固定速度の送信」は、例えば、システム情報用の固定のトランスポート・フォーマットを有するＢＣＨトランスポート上での送信によって実現可能である。
【０１０６】
「変動ＢＣＨ」の概念は、以下に述べる技術的理由により、スケーラブルなスペクトル割当てをするシナリオにおいてシステム情報の高速で効率的な配信をサポートするために導入された。
【０１０７】
・様々なスペクトル割当てに対応したＢＣＣＨへの無線リソースの割り当て
Ｅ−ＵＴＲＡの独立動作は、スケーラブルなスペクトル割当てのそれぞれにおいて可能であるものとする。ユーザ・プレーンのトラヒック用の帯域幅に相対したオーバヘッドを一定に保つために、一つの可能なソリューションは、使用スペクトル割当てのサイズに応じた速度でＢＣＣＨを送信することである。つまり、例えば、10 MHzのスペクトル割当てのときには30 kbpsのＢＣＣＨを1.25 MHzスペクトル割当てでは3.75 kbpsに、率に応じて速度を落とすということである。しかし、これは、最小のＢＣＣＨ情報にとっては小さすぎるであろう。別の可能なソリューションは、最小ＳＩＢ繰返し周期を増やすことであるが、この場合には、高い繰返し率になるＳＩＢの取得時間が影響を受ける。例えば、ＵＴＲＡでは、ＳＩＢ７の取得時間の増加が、呼設定のレイテンシーの増加につながる可能性がある。同様の問題は、Ｅ−ＵＴＲＡでも予想できる。
【０１０８】
・配置、任意選択的なＳＩＢ及び拡張により異なるＢＣＣＨの容量要件
ＢＣＣＨの容量要件は、ＰＬＭＮ間またはセル間でも異なる可能性がある。例えば、他セル／ＲＡＴ情報の必要性は、オペレータの選択またはセルの地理的位置に依存する。任意選択的な機能（例えば、位置検出）では、ＳＩＢを必ずしも送信する必要がない。
【０１０９】
ＢＣＣＨの連続的な遅い速度の送信には、次の二つの問題がある。
【０１１０】
・ＵＥのバッテリ電力消費の増加
遅い連続した速度での送信は、ＵＥがＢＣＣＨのコンテンツを得るために比較的長い時間ウェイクアップしていることを要求する。これは、ＲＲＣ＿アイドル状態では特に重大である。したがって、ＢＣＣＨの非連続的なバーストのような送信が、ＵＥのバッテリ電力節減には有効である。これは、ひいては、様々なネットワーク・ベンダーやオペレータがＵＥの電力消費にとってより効率的であり得るようなＢＣＣＨの送信パターンを定義可能にする。
【０１１１】
・短い測定間隔内での隣接セルのＢＣＣＨコンテンツの受信
ＬＴＥ＿アクティブ状態であるときにＵＥは隣接セルのＢＣＣＨコンテンツを受信する必要があるか否かは議論される必要があるが、これが必要であるとすれば、ＢＣＣＨの遅い連続した速度での送信は、短い測定間隔期間内に隣接セルのＢＣＣＨコンテンツを取得することを難しくさせる。したがって、ＢＣＣＨの非連続的なバースト的な送信が有効である。
【０１１２】
本発明の別の態様は、セル特有のシステム情報へのポインタを通信システム内の無線リソース制御エンティティ（基地局）間でやり取りすることに関係する。これは、例えば、セル内でのシステム情報の送信のための固定的な設定（各々隣接する無線リソース制御エンティティに知られている）が使用されていない場合には、有利であり得る。この態様によれば、典型的に隣接する基地局どうしが互いに、報告を発するエンティティのセル内のセル特有のシステム情報を指し示すポインタ（例えば、スケジューリング情報及び／または関連システム情報のマッピング）を相手の基地局に通知できる。
【０１１３】
これに応じて、この情報を送信するために同期化制御プロトコル手順が、Ｘ２インタフェースを介して定義されなければならない。上記情報（ポインタまたは複数のポインタ）のシグナリングは、例えば、定期的に送信可能である、すなわち、元のノードＢが前記情報を移動先ノードＢへｘmsごとに送信する。代替的に、交換は要求−応答メカニズムに基づいてもよい、すなわち、元のノードＢが移動先ノードＢ（複数の場合もある）によって送信を要求される。別の可能性は、イベント契機始動による交換であり、すなわち、例えば、システム情報のマッピングの変更または送信フォーマット及び／またはシステム情報のタイミングの変更に対応して、無線リソース制御エンティティによって始動される。明らかに、移動先ノードＢのシステム情報の変更を元のセルを介した指示情報の変更に同期させることは重要である。
【０１１４】
ハンドオーバやセル再選択など、システムで定義されたモビリティ手順は複数ある可能性があるので、無線リソース制御エンティティは各モビリティ手順に関連したシステム情報への各ポインタをシグナリングし得る（もちろん、同じシステム情報が複数のモビリティ手順に関連する場合、一つのポインタだけをシグナリングしてもよい）。３ＧＰＰベースの通信システムにおけるこの態様の実現に関係する本発明の例示的な実施形態では、元のノードＢは、一つ以上の隣接するノードＢから一つ以上のモビリティ手順に関連したＳＩＢのスケジューリングを通知され得る。前述したように、ＳＩＢのスケジューリングは固定的なトランスポート・フォーマットを使用できる、及び／またはトランスポート・チャネルへの固定的なマッピングが使用され得る。これは、例えば、全体的な動作及び保守（Ｏ＆Ｍ）の一部として設定可能である。代替的に、スケジューリング及び／またはマッピングは、フレームまたはアプリケーション・プロトコルを用いて、Ｘ２インタフェース（図２を参照）を介してノードＢ間でシグナリングされてもよい。
【０１１５】
様々な例示的な実施形態による本発明の概念を以下にさらに詳しく述べる前に、本発明の一つの例示的な実施形態による（例えば、ブロードキャスト制御チャネル（ＢＣＣＨ）―論理チャネル上で送信される）システム情報の構成を、図５を参照して、さらに詳しく概説する。情報の構成は、木のような構造をとり得る。いわゆるマスター情報ブロック（ＭＩＢ）が木構造の根を形成し、いわゆる各システム情報ブロック（ＳＩＢ）がその枝となる。ＭＩＢ情報は、ブロードキャスト・システム情報を運ぶ各ＳＩＢよりも多少頻繁に送信され得る。ＭＩＢ中の情報は、ＭＩＢ情報が送信されるたびに、個々の端末によって読まれる必要がないこともある。例示的な目的で、この実施形態では、システム情報は単一のブロードキャスト・トランスポート・チャネルにマッピングされると仮定できる。
【０１１６】
例えば、ＭＩＢ内の区分の一つ一つは、各システム情報ブロックに関する情報のために確保され得る。確保された区分に含まれた、各ＳＩＢに関連した制御情報は、次のような構成をとることができる。ＭＩＢのポインタに含まれる、ＳＩＢに関連した各制御情報は、各ＳＩＢが共通タイミング基準に相対して送信されるブロードキャスト・トランスポート・チャネル（固定速度または変動速度のトランスポート・チャネル）上の各ＳＩＢの位置を含み得る。さらに、ＳＩＢの繰返し周期が指示され得る。この繰返し周期は、各ＳＩＢが送信される周期を示す。上記制御情報は、タイマーに基づいた更新メカニズムのためのタイマー値、または代替的に、ＳＩＢ情報のタグに基づいた更新メカニズムのための値タグをさらに含むことができる。
【０１１７】
移動先セルにおいてＭＩＢのこの例示的な構成とＳＩＢの論理チャネルからトランスポート・チャネルへのマッピングを使用すると、例示的なブロードキャスト・トランスポート・チャネルの構成は、図１０に示すような様相となり得る。移動端末は、このチャネル構成を有する移動先セルへアタッチするまたは接続するためにモビリティ手順を実行し、そのとき、元の基地局からすでに受信したポインタは、そのモビリティ手順のためのトランスポート・フォーマットと関連システム情報の相対的タイミングを示す制御情報を含んでなる。例えば、関連システム情報が、ハンドオーバ手順のためのＳＩＢ５とＳＩＢ１７に含まれていたとすれば、すでにブロードキャストされたポインタが、移動先セルにおいて移動端末に上記のＳＩＢを指し示すことができるため、（例えば、ＭＩＢが移動先セルにおいてブロードキャストされた後に移動端末が移動先セルにアタッチする場合のように）ＭＩＢを最初に受信しなくとも、移動端末は移動先セルにアタッチすると同時に上記のＳＩＢを受信できる。
【０１１８】
次に、システム情報が固定速度のトランスポート・チャネル及び／または変動速度のトランスポート・チャネルの一方または両方にマッピングされる、本発明の別の例示的な実施形態を説明する。図１１は、システム情報が固定速度のトランスポート・チャネルと変動速度のトランスポート・チャネルにマッピングされる場合の本発明の例示的な実施形態による、移動先セル特有のシステム情報へのポインタを元のセルを介し送信することの概念を示す。例示的な目的で、本実施形態では、表１に提示したブロードキャスト・システム情報の各システム情報ブロック（ＳＩＢ）への類別が適用されることが仮定できる。前掲の表１の内容は、しかし、ブロードキャスト・システム情報の内容と分類の一つの可能な例として、ただみなされるべきである。また、システム情報の異なる部分がブロードキャストされる周波数の分類及び異なる各ＳＩＢへのその分類は、例示的な目的でのみ役に立つように意図され、本発明をこの例に限定するように意図されてはいない。既存の移動通信システムの現行の発展と改良において、内容、フォーマット、送信周期等は、システム情報の異なる各ＳＩＢへの配信と同じく、変わる可能性がある。
【０１１９】
さらに、システム情報は、移動先セル内の固定速度のトランスポート・チャネル及び／または変動速度のトランスポート・チャネルにマッピングされることが、例示的な目的でのみまた仮定できる。固定速度のトランスポート・チャネル上で、ＭＩＢは周期的に送信され、ＭＩＢは、各ＳＩＢの固定速度のトランスポート・チャネル及び／または変動速度のトランスポート・チャネルへのマッピングを識別する制御情報、各ＳＩＢの送信フォーマット及び／またはタイミング（固定的ではないまたは予め設定されていない場合）を含み得る。例示的な目的で、変動速度のトランスポート・チャネルは、周波数領域における全システム帯域幅のうちの所定の帯域幅として使用するように仮定できる。このチャネル帯域幅は、図１１に例示するように、周波数領域において複数のサブバンドまたはサブキャリアに分割できる。時間領域において、変動速度のトランスポート・チャネルの無線インタフェース・リソースは、個別のサブフレームに分割できる。各サブフレームには、時間領域中のサブフレームの相対的位置を示すシステム・フレーム番号（ＳＦＮ）を割り当てることができる。
【０１２０】
周波数領域でのサブバンドまたはサブキャリアと時間領域でのサブフレームは、ユーザに割当て可能な無線インタフェース・リソースの最小単位であり得るリソース・ブロックを形成する。もちろん、リソース・ブロックの定義は柔軟であり、例えば、リソース・ブロックが周波数領域での一つ以上のサブバンド／サブキャリア及び／または時間領域での一つ以上のサブフレームにわたることも可能である。さらに、送信時間間隔（ＴＴＩ）の長さは、時間領域における１サブフレームの長さに等しいことが例示的な目的で仮定できる―もちろん、ＴＴＩは代替的に複数のサブフレームにわたってもよい。
【０１２１】
先に説明したように、従来のシステムでは、新しい無線セル（移動先セル）へアタッチした移動端末は、移動先セル内のマッピング及びトランスポート・フォーマット及び／または各ＳＩＢのタイミングをそこから得るために、固定速度のトランスポート・チャネル上でＭＩＢを先ず受信する必要があった。この制御情報を得てはじめて、移動端末は、ハンドオーバやセル再選択などのモビリティ手順を実行するための関連したＳＩＢを含むＳＩＢを受信できる。
【０１２２】
例えば、制御メッセージが、それが移動先セルへのアタッチ／接続を指示するハンドオーバ指示メッセージまたは接続解放メッセージ（図８及び図９を参照）であろうと、移動先セル内でＭＩＢが送信された後の時間インスタンス（例えば、０）に受信されるとすれば、モビリティ手順を実行するための関連したＳＩＢ受信できるようになるまでに移動端末は次のＭＩＢを待つ必要があった。本発明のこの実施形態によれば、元のセル内で前もって送信されたポインタが、モビリティ手順を実行するための関連したＳＩＢ―この例ではＳＩＢ５とＳＩＢ１７を指し示す。移動先セル内でＭＩＢを逃したとしても、上記ポインタが、移動先セル内のＳＩＢ５とＳＩＢ１７のマッピング、タイミング及びトランスポート・フォーマットの情報を移動端末に与えるので、移動先セル内で最初に次のＭＩＢを受信せずとも、移動先セルへアタッチした時点で移動端末はこれらのＳＩＢを即座に受信でき、モビリティ手順を続行できる。
【０１２３】
ハード・ハンドオーバ手順とセル再選択手順に適用時に本発明の実施形態によってもたらされる、さらなる利点を詳しく説明する前に、移動端末の周波数間測定のメカニズムについての詳しい説明を初めに行う。
【０１２４】
ＵＭＴＳでは、通信事業者は容量と収益を増加させるために利用可能な２つまたは３つのＦＤＤ周波数を有し得る。例えば、運用は一つの周波数を使用して開始可能であり、容量を向上させるために第２、第３の周波数が後で必要とされる。数個の周波数が高い容量を得るために同一サイトでを使用でき、または、これらの周波数は、異なる周波数を用いるマクロ・セル層及びマイクロ・セル層として利用可能である。特に、基地局が複数の周波数をサポート可能であるシナリオは、ＵＭＴＳでは階層セル構成（ＨＣＳ）と呼ばれる。これによれば、異なる周波数を有するセル群が、不定数のマクロ層セル及び／またはマイクロ層セル（マイクロ・セルは比較的小さいセルであり、大きなエリアをカバーするセルはマクロ・セルと呼ばれる）を含む階層的構成で配置される。ＨＣＳは、低速用としてはより大きなセル・サイズをサポートし、高速用としてはより小さいなセル・サイズをサポートする。同一のサイズのセル群が、ＨＣＳの一つの層を形成する。例えば、次のようなシナリオがあり得る。二つの同一層のマクロ・セルがあるとき、それぞれの対応する負荷に応じて、ネットワークはどちらの周波数層にＵＥをキャンプさせるべきかを決定できる。逆に、マイクロ・セルは、他エリアに比べて極めて高いトラヒックがある「ホット・スポット」に追加的に配備することができる。図１３は、複数の周波数キャリア、この場合ｆ１〜ｆ３、が同時に存在する例を示す。本図により次のことがさらに仮定される。各周波数キャリアは、とりわけブロードキャスト情報を提供するために、固定速度と変動速度のブロードキャスト・トランスポート・チャネルを使用する。また、ＨＣＳの他の層である残りの周波数キャリアの周波数識別子（ＦＩＤ）と共に、同一周波数内ＮＣＬが各周波数層上で送信される。ＨＣＳのそれぞれの周波数層において、スケジューリング情報は、下に示す典型的な方式で固定のＢＣＨと変動ＢＣＨ間で共有される。
【０１２５】
・マスター情報ブロック（ＭＩＢ）は、変動ＢＣＨのスケジューリング・ブロック（ＳＢ）用のスケジューリング情報を含む。
【０１２６】
・ＳＢの一つ（以上）は、変動ＢＣＨ上のＮＣＬ情報送信に関するスケジューリング情報を含む。
【０１２７】
・ＭＩＢの繰返しレートは、20 msに等しい。ＮＣＬ情報はそれほど頻繁には変化しないので、ＮＣＬを指し示すＳＢの繰返しレートは数倍大きい。
【０１２８】
ＳＢ内のスケジューリング情報とＦＩＤは、同一セルの約20bで送信されることに留意すべきである。さらに、ＮＣＬ用のＳＢの繰返しレートを考慮すると、取得遅延は80 msほどの大きさになり得る。
【０１２９】
周波数キャリアはすべて単一の基地局によって制御されるのかどうか、または各周波数キャリアが別個の基地局によって使用されるかどうかが、さらに可能であるが、この場合には未決定にしておく。
【０１３０】
異なる周波数の使用により、これらのシナリオをサポートするためには、異なる周波数キャリア間の周波数間ハンドオーバが必要とされるため、周波数間測定がさらに使用される。また、周波数間ハンドオーバにおける測定には、システム間ハンドオーバの場合と同様に、圧縮モードが使用される。圧縮モードについては後で詳しく説明する。さらに、ＵＥは、移動先の周波数を特定するために、同一周波数内測定の場合と同じＷＣＤＭＡ同期化手順を使用する。
【０１３１】
周波数間ハンドオーバは、次の４つの位相に分けることができる。
【０１３２】
・位相１：ＲＮＣ（基地局）はＵＥに圧縮モードを使用して周波数間測定を開始するように命令する。測定のトリガ（契機）は、ＲＡＮベンダーが独自に決める。
【０１３３】
・位相２：ＵＥはＰ−ＳＣＨのピークを検出する。
【０１３４】
・位相３：ＵＥはＳ−ＳＣＨとＣＰＩＣＨを有するセルを識別し、ＲＮＣへ測定を報告する。
【０１３５】
・位相４：ＲＮＣはハードウェア・コマンドをＵＥへ送信する。
【０１３６】
セル識別時間は、同一周波数内ハンドオーバの場合と同様に、ＵＥが受信可能なセル数とマルチパス要素数に主に依存する。具体的には、ＵＥは、通常、隣接セルの一次同期チャネルであるＰ−ＳＣＨを検出するために整合フィルタを使用する。すべてのセルは、ＵＥがそれを探す同一の同期符号を送信する。ＵＥは、さらに、二次同期チャネルであるＳ−ＳＣＨとパイロット・チャネルであるＣＰＩＣＨを有するセルを識別する。同期化手順の後、ＵＥは、測定、例えば、周波数間測定を行なえるようにあり、測定結果が属するセルを識別できる。
【０１３７】
周波数間測定は、通常、対応する周波数間ハンドオーバを行なう必要性があるときにだけ開始される。周波数間ハンドオーバは、負荷を異なるキャリア間及びセル層間に分散するために、その他の周波数が連続的なカバレッジをもたない場合にカバレッジ・エリアを拡張するために、必要とされる。
【０１３８】
ネットワークへの周波数間測定報告は、次の要素を含み得る。
【０１３９】
・セル識別
・ＳＦＮ−ＳＮＦ間の観測された時間差
・セル同期情報
・ダウンリンクＥｃ／Ｎｏ（ＦＤＤ）
・ダウンリンクのパス損失
・ダウンリンクＲＳＣＰ（受信信号符号電力）（一次ＣＰＩＣＨ ＦＤＤ、ＰＣＣＰＣＨ ＴＤＤ）
・ダウンリンクのタイムスロットＩＳＣＰ（ＴＤＤ）
・提案されたＴＧＳＮ（ＴＤＤ）、及び
・ＵＴＲＡキャリアＲＳＳＩ
【０１４０】
ネットワークは、周波数間測定が実行される必要があると判断すると、周波数間に設定された測定タイプを含む測定制御メッセージを当該移動端末へ送信する。一般に、ネットワークは、測定と共にイベントを設定する。下記のイベントが、測定報告を開始させる契機となる。
【０１４１】
・２Ａ−最良の周波数の変化
・２Ｂ−現在使用中の周波数の推定品質がしきい値を下回り、非使用周波数の推定品質がしきい値を上回る。
・２Ｃ−非使用周波数の推定品質が所定のしきい値を上回る。
・２Ｄ−現在使用中の周波数の推定品質が所定のしきい値を下回る。
・２Ｅ−非使用周波数の推定品質が所定のしきい値を下回る。
・２Ｆ−現在使用中の周波数の推定品質が所定のしきい値を上回る。
【０１４２】
上記のリストから最も一般的に使用されるイベントは、２ｂと２ｄのイベントである。ＵＥが「カバレッジの端」のエリアに入ると、ネットワークは、イベントＩＤをイベント２ｂと２ｄに設定した測定制御メッセージを送信する。イベント２ｄは、現在の周波数についてイベント２ｂと同じ機能を実行するが、２ｄの場合に設定されたしきい値はずっと低い。イベント２ｂが発生されると、何の問題もなく新しい周波数へのハンドオーバが実行される。イベント２ｂが発生されないが、イベント２ｄが発生される場合、それは、他の周波数が十分強くないが、現在の周波数は非常に悪い状態になっていて、唯一の選択は新しい周波数へのハンドオーバであることを意味する。上記の場合、結果が確実に成功するとは限らない。
【０１４３】
スロット化モードとも言われる圧縮モードは、ＵＥが一つの受信器しかもたない場合、他の周波数についての（周波数間）または異なる無線アクセス・テクノロジーについての（ＲＡＴ間）測定を行なうときに必要とされる。ＵＥが第２の受信器をもつ場合には、第１の受信器によって送信／受信を継続しながら上記の第２の受信器で測定を行なえるので、圧縮モードは必要ない。しかし、ＵＥのコストが非常に高くなるので、このようなことは現実的には起こらない。ＵＥの性能が、他のＦＤＤ周波数上のセルや他のモードや無線アクセス・テクノロジーのセルをモニターするために、ＵＥが圧縮モードを必要とするかどうかを決める。
【０１４４】
圧縮モードでは、ＵＥからの送信と受信は数ミリ秒程度の短時間のあいだ停止され、その時間内に他の周波数またはＲＡＴの測定が行なわれる。すなわち、圧縮モードのメカニズムは、アップリンクまたはダウンリンクまたは両方向の送信パスに人工的な中断間隔を挿入することを可能にし、そのときにＵＥはその受信器を再チューニングして他の隣接セルの測定を実行できる。このことは、測定を実行するためにフレームがどのように圧縮されるのかの考え方を示す図１４に図示される。処理ゲインの低下により品質（ＢＥＲ、ＦＥＲなど）が影響を受けないように、圧縮フレーム中には瞬時送信電力が増加される。
【０１４５】
中断時間が終わった後、ＵＥはその受信器を現在のサービスのセルのキャリア周波数に戻すようにチューニングし、データの送信と受信を続行できる。圧縮モードを使用する意図は、データを失わずに、時間領域においてデータ送信を圧縮することである。しかるべく、フレーム圧縮は次の三つの方法によって実現可能である。
【０１４６】
・より上位の層はＵＥの圧縮モード・スケジュールの知識をもつので、より上位の層からのデータ伝送速度を下げる
・拡散率を変えることによりデータ伝送速度を上げる、または
・物理層におけるデータ・ビットを間引くことによりシンボル・レートを下げる
【０１４７】
どのフレームを圧縮するか、圧縮方法と圧縮部分の長さは、ネットワークによって決定される。より上位の層（例えば、ＲＲＣ層）からの要求に応答して、ＵＴＲＡＮは圧縮モード・パラメータをＵＥへシグナリングできる。送信中断間隔パターン列は、送信中断間隔パターン１が連続して出現する列からなり、送信中断間隔パターン１は一つまたは二つの送信中断間隔からなる。圧縮モード・パターン列とパラメータ（例えば、ＴＧＰＬ１，  ＴＧＳＮ）の基本概念を図１５に示す。
【０１４８】
図１５に示したような、下記のパラメータが送信中断間隔パターンを特徴付ける。
【０１４９】
・ＴＧＳＮ（送信中断間隔開始スロット番号）：送信中断間隔パターンは、少なくとも一つの送信中断間隔スロットを含む無線フレーム―以下では送信中断間隔の第１の無線フレームと呼ぶ―において開始する。ＴＧＳＮは、送信中断間隔パターンの上記無線フレーム内の第１の送信中断間隔スロットのスロット番号である。
【０１５０】
・ＴＧＬ１（送信中断間隔長１）：これは、送信中断間隔パターン内の第１の送信中断間隔のスロット数で表わした時間の長さである。
【０１５１】
・ＴＧＬ２（送信中断間隔長２）：これは、送信中断間隔パターン内の第２の送信中断間隔のスロット数で表わした時間の長さである。このパラメータが上位層によって明示的に設定されていない場合は、ＴＧＬ２＝ＴＧＬ１である。
【０１５２】
・ＴＧＤ（送信中断間隔開始距離）：これは、送信中断間隔パターン内の二つの連続する送信中断間隔の開始スロット間のスロット数で表わした時間の長さである。
【０１５３】
・ＴＧＰＬ１（送信中断間隔パターン長）：これは、送信中断間隔パターン１のフレーム数で表わした時間の長さである。
【０１５４】
もちろん、設定されなければならない追加のパラメータ、例えば、ＴＧＰＲＣ、ＴＧＣＦＮがあるが、それらについてのこれ以上の説明は省略する。
【０１５５】
ＵＥは、測定目的ごとに一つの圧縮モード・パターン列をサポートする必要がある。ＵＭＴＳでは、６種類の送信中断間隔パターン列測定目的（ＴＧＭＰ）がある、すなわち、
１．ＴＤＤ測定
２．ＦＤＤ測定
３．ＧＳＭキャリアＲＳＳＩ
４．ＧＳＭ初期ＢＳＩＣ識別
５．ＧＳＭ ＢＳＩＣ再設定
６．マルチキャリア測定
【０１５６】
ＴＧＰＳ識別（TGPS_IDENTITY）は、すべての設定された圧縮モード送信中断間隔パターン列の設定・パラメータを保持するために、ＵＥが使用する変数である。
【０１５７】
ＴＧＰＳ識別（TGPS_IDENTITY）変数の内容を以下に例示する。ＴＧＰＳ識別（TGPS_IDENTITY）変数中に保持される、送信中断間隔パターン列の設定・パラメータは、「ＤＰＣＨ圧縮モード情報」という情報要素（ＩＥ）の内容に基づいて設定される。ＵＥがＲＲＣ接続を確立した時点で、「全無線リンクに共通のダウンリンク情報」ＩＥ中で「ＤＰＣＨ圧縮モード情報」ＩＥが、ＵＴＲＡＮによって無線ベアラ制御メッセージ（例えば、物理チャネル再設定）において設定可能であり、ＵＥへシグナリングできる。一方、測定制御メッセージでは、「ＤＰＣＨ圧縮モード状態情報」というＩＥが、ＵＥへ割り当てられた送信中断間隔パターン列をアクティブ化／非アクティブ化するための制御パラメータとして機能するように使用される。上記の説明から、送信中断間隔パターン列は、測定目的ごとに設定されると考えることができ、一方、測定制御メッセージは各中断間隔列の開始フレームを制御するだけである。
2010506446.tif 000004
【０１５８】
セル情報リスト（CELL_INFO_LIST）と測定識別（MEASUREMENT_IDENTITY）は、測定に関係した情報を保持するために、ＵＥが使用する変数である。
【０１５９】
セル情報リスト（CELL_INFO_LIST）は、セルの信号測定の三つの基本種別―同一周波数内セル、周波数間セル、ＲＡＴ間セル測定に使用されるセルを定義するために使用されるリストを含む。三つの測定種別の各々について、セル情報リスト（CELL_INFO_LIST）変数は、最大３２個のセルまでの情報を保持できる。以下に示すように、異なるセルはそれらの一意のセルＩＤによって区別される。
2010506446.tif 000005
【０１６０】
測定識別（MEASUREMENT_IDENTITY）変数は、測定対象量、報告対象量、及びいつどのように報告されるのかを定義する追加情報を保持する。大まかに言えば、本変数は、測定制御メッセージ、ＳＩＢ１１メッセージ及び／またはＳＩＢ１２メッセージ中のＩＥの一部またはすべてを保持する。保持される情報、いつその情報が保持されるか、いつその情報が消去されるかは、ＲＲＣプロトコルによって指定可能であり、ある時点のＵＥの特定の状態に依存する。以下に示すように、異なる測定は測定ＩＤによって識別され、複数の測定が制御される。
2010506446.tif 000006
【０１６１】
要約すれば、セル情報リスト（CELL_INFO_LIST）は隣接セル関する総合情報を含み、測定識別（MEASUREMENT_IDENTITY）は一つ以上の特定の測定タスクを実行するために必要なすべてのパラメータを保持する。さらに、測定識別（MEASUREMENT_IDENTITY）中の一部のフィールドは、セル情報リスト（CELL_INFO_LIST）中のものと同じであるので、セル情報リスト（CELL_INFO_LIST）変数を読むことによって初期化可能である。
【０１６２】
前述したように、ＵＥはその現在の状態に応じて測定変数を設定する。ＵＥがアイドル状態であるときは、可能性のある移動先セルのブロードキャストされたＳＩＢ１１メッセージ中のＩＥをＵＥは読む。ＵＥがＣＥＬＬ＿ＦＡＣＨ／ＣＥＬＬ＿ＰＣＨ／ＵＲＡ＿ＰＣＨであるときは、 他セル内でブロードキャストされたＳＩＢ１２メッセージ中のＩＥをＵＥは読む。ＳＩＢ１２が存在しない場合、ＵＥは代わりにＳＩＢ１１の内容を利用する。ＳＩＢ１２の内容は、第１フィールドを除き、すなわちＳＩＢインジケータが存在しないが、実質上同じである。
2010506446.tif 000007
【０１６３】
セル選択（再選択）に関するＳＩＢ１１の要素は、セル再選択の内部設定手順に使用される。ＳＩＢ１１メッセージ中で、ＦＡＣＨ測定時情報（FACH Measurement Occasion Information）というＩＥは、ＵＴＲＡＮがＣＥＬＬ＿ＦＡＣＨ状態のＵＥへのダウンリンク送信を中断する時を指定し、その時にＵＥは他周波数上の他セルの測定を行なえる。測定制御システム情報（Measurement Control System Information）というＩＥは、ＵＥが行なう必要がある測定を定義し、セル情報リスト（CELL_INFO_LIST）変数を設定するために使用される。
【０１６４】
ＵＥがＣＥＬＬ＿ＤＣＨ状態であるときは、ＵＥはダウンリンクＤＣＣＨを介して送信された測定制御メッセージにおけるＩＥを読む。測定制御メッセージは、ＳＩＢ１１及びＳＩＢ１２メッセージ中で使用された設定と異なる設定設定をしているＵＥでの測定手順を制御する決定をＵＴＲＡＮが行なうときにはいつでもＵＴＲＡＮによって使用される。このメッセージは、新しい測定を確立することまたは既存の測定を再設定することのどちらでも行なえる。同メッセージは、周波数間測定及びＲＡＴ間測定のために圧縮モードの使用をアクティブ化することもできる。このメッセージを受信すると、ＵＥは測定識別（MEASUREMENT_IDENTITY）変数中に保持された情報を読む／更新する。測定制御メッセージ中のＩＥは、測定識別、測定コマンド、測定報告モード、測定種別、測定報告基準、ＤＰＣＨ圧縮モード状態情報などを含む。
【０１６５】
その他のＩＥが前のＳＩＢ１１／１２または前の測定制御メッセージによって設定済みであれば、一つの測定制御メッセージは、上記のＩＥの一部を含んでもよいことに留意されたい。例えば、第１のＲＲＣ測定制御メッセージは、同一周波数内のセル情報リスト（Intra-Frequency_Cell_Info_List）を含み、第２の同メッセージは測定報告基準（Measurement_Reporting_Criteria）を含む。
2010506446.tif 000008
【０１６６】
ＵＥが周波数間測定を実行するためには、測定対象の他セルの隣接セル・リスト（ＮＣＬ）を取得する必要がある。通常、ＮＣＬはＳＩＢ１１とＳＩＢ１２―その使用と内容については前の節で説明した―からなると考えられる。
【０１６７】
レガシー・システムの場合の隣接セル・リストの要素の定義に関して、以下に示す５つのケースが適用可能である。各情報要素のサイズの総和が、以下に示す５つの異なるケースについて計算される。
【０１６８】
１．任意選択と必須のすべての可能なパラメータがＳＩＢ（ＳＩＢ１１、繰返しのＳＩＢ１１、ＳＩＢ１２）に含まれる。パラメータのリストは、非常に広範なので省略する。上記ＳＩＢに含まれたパラメータの一部はセル特有（約2000ビット）であり、そのほとんどは隣接リストに関係し、したがってリストに含まれた隣接セルの数に依存する。総サイズは、したがって、追加のセル当り及びＳＩＢ当り約445ビットずつ（ＳＩＢ１１とＳＩＢ１２を合わせると、890ビットずつ）直線的に増加する。
【０１６９】
以下の３つのケースでは、周波数間測定に関係したパラメータに的を絞る。
【０１７０】
２．ＳＩＢは、周波数間測定に関係した、任意選択値を含むすべての値からなるが、それ以上の情報は含まない。これは、19ビットの固定部分に、リスト中の１セルごとに追加の１３２ビットを加える。
【０１７１】
リストに含まれたセル当り必要な変数部：
・削除した周波数間セル−周波数間セルＩＤ
・新しい周波数間セル−周波数間セルＩＤ
・周波数情報
・ＦＤＤ−ＵＡＲＦＣＮアップリンク（Ｎｕ）
・ＦＤＤ−ＵＡＲＦＣＮダウンリンク（Ｎｄ）
・セル情報
・セル個別オフセット
・選択精度
・精度のために7ビットを仮定し、ＬＴＥではチップ不使用
・読み取ったＳＦＮインジケータ
・一次ＣＰＩＣＨ情報：一次スクランブル符号
・一次ＣＰＩＣＨ送信電力
・送信ダイバーシチ・インジケータ
・セル選択及び再選択情報
・Ｑオフセット１ｓ，ｎ
・Ｑオフセット２ｓ，ｎ
・最大許容ＵＬ送信電力
・ＨＣＳ隣接セル情報
・ＨＣＳ＿ＰＲＩＯ
・Ｑｈｃｓ
・デルタＱｈｃｓ−ＲＳＣＰ
・ＨＣＳセル再選択情報
・ペナルティ時間
・一時的オフセット１
・一時的オフセット２
・ＦＤＤ：Ｑｑｕａｌｍｉｎ
・ＦＤＤ：Ｑｒｘｌｅｖｍｉｎ
・デルタＱｒｘｌｅｖｍｉｎ
・測定対象セル−周波数間セルＩＤ
【０１７２】
一度だけ必要な固定部：
・選択周波数間セル削除−「いくつかの周波数間セルを削除する」選択
・周波数間ＲＡＣＨ報告情報
・ＦＤＤ−周波数間ＲＡＣＨ報告品質
・周波数間ＲＡＣＨ報告しきい値
・周波数間ＲＡＣＨ報告セルの最大数
【０１７３】
３．ＳＩＢは、周波数間測定に関係した必須パラメータのみからなる。任意選択パラメータとして、他のどこにもデータが全くないので、「新しい周波数間セル」の任意選択を含む「周波数間セル情報リスト」が含まれる。これは、リスト中のセル当り27 ビットを加える。
【０１７４】
リストに含まれたセル当り必要である：
・周波数間セル情報リスト−新しい周波数間セル−周波数間セルＩＤ
・周波数情報−ＵＡＲＦＣＮダウンリンク（Ｎｄ）
・セル情報
・セル個別オフセット
・読み取ったＳＦＮインジケータ
・送信ダイバーシチインジケータ
【０１７５】
４．周波数間測定に関連するとみなされる、選択されたパラメータ群がグループ化されてＳＩＢを成す。これらは、以下の表に挙げられ、セル当り最大67ビットを加える。
【０１７６】
選択された値を合計する：
・セル個別オフセット
・一次ＣＰＩＣＨ送信電力
・Ｑオフセット１ｓ，ｎ
・Ｑオフセット２ｓ，ｎ
・最大許容ＵＬ送信電力
・ＨＣＳ＿ＰＲＩＯ
・Ｑｈｃｓ
・デルタＱｈｃｓ−ＲＳＣＰ
・ペナルティ時間
・一時的オフセット１
・一時的オフセット２
・ＦＤＤ：Ｑｑｕａｌｍｉｎ
・ＦＤＤ：Ｑｒｘｌｅｖｍｉｎ
・デルタＱｒｘｌｅｖｍｉｎ
【０１７７】
５．第５のケースは、ＳＩＢ１１のほかに繰返しのＳＩＢ１１も考慮に入れる。周波数間測定に関係した、繰返しのＳＩＢ１１に含まれた追加情報（以下を参照、セル当り121ビット）が第２のケースに追加され、その結果19ビットの固定部とセル当り253ビットの可変部が生じる。
【０１７８】
・周波数間セル情報リスト
・新しい周波数間セル
・周波数情報
・ＦＤＤ−ＵＡＲＦＣＮアップリンク（Ｎｕ）
・ＦＤＤ−ＵＡＲＦＣＮダウンリンク（Ｎｄ）
・周波数間セルＩＤ
・セル情報
・セル個別オフセット
・セルとの基準時間差
・選択精度
・精度のために7ビットを仮定し、ＬＴＥではチップ不使用
・読み取ったＳＦＮインジケータ
・選択モード−ここではＦＤＤのみを考慮した
・一次ＣＰＩＣＨ情報：一次スクランブル符号
・一次ＣＰＩＣＨ送信電力
・送信ダイバーシチ・インジケータ
・セル選択及び再選択情報
・Ｑオフセット１ｓ，ｎ
・Ｑオフセット２ｓ，ｎ
・最大許容ＵＬ送信電力
・ＨＣＳ隣接セル情報
・ＨＣＳ＿ＰＲＩＯ
・Ｑｈｃｓ
・デルタＱｈｃｓ−ＲＳＣＰ
・ＨＣＳセル再選択情報
・ペナルティ時間
・一時的オフセット１
・一時的オフセット２
・ＦＤＤ：Ｑｑｕａｌｍｉｎ
・ＦＤＤ：Ｑｒｘｌｅｖｍｉｎ
・デルタＱｒｘｌｅｖｍｉｎ
【０１７９】
周波数間測定及び関連の論点についての上記の広範な説明の短い要約を以下に述べる。
【０１８０】
周波数間測定は、周波数間ハンドオーバの一部であり、無線セルが複数の（少なくとも２つの）異なる周波数を使用するシナリオをサポートするために必要とされる。他の周波数についての周波数間測定を設定するためには、先ず、他の周波数のＮＣＬ―ＳＩＢ１１及び／またはＳＩＢ１２であり得る―を取得する必要がある。ＮＣＬの取得のため、並びに実際の周波数間測定のために、圧縮モードが適用され、このモードでは、受信器を他の周波数に再チューニングするために、そして該当するＮＣＬを取得するために、及び／または必要な測定を実行するために、ＵＥの送信中の人工的な中断間隔が利用される。従来のシステムでは、他の周波数キャリアのＮＣＬを取得するために必要なスケジューリング情報は、上記他の周波数キャリアの同一セル内でブロードキャストされる。したがって、ＮＣＬを受信したいＵＥは、ＵＥにＮＣＬを受信させるために必要な情報を含むＭＩＢを最初に取得しなければならない。
【０１８１】
図１２は、ＵＥの周波数間測定を設定するために、他セルの周波数キャリアｆ２からＮＣＬ ｆ２を取得するための従来の方法を示す。ＵＥは現在、周波数キャリアｆ１を使用する元のセル内にいると仮定される。周波数キャリアｆ２とｆ３をそれぞれ使用する二つの追加のセルが利用可能であり、ＵＥは周波数ｆ２の測定を行なおうとしている。ＵＥがＮＣＬ ｆ２を取得するためには、変動ＢＣＨ上のその位置がＭＩＢ１によって指示されるＦＩＤ２を最初に受信する必要がある。周波数キャリアｆ２の周波数を知ると、ＵＥは移動先セルのＭＩＢ２を最初に取得するために圧縮モードを使用する。ＭＩＢ２を処理することによってのみ、ＵＥは、必要なＳＢ、この場合ＳＢ２２が移動先セルの変動ＢＣＨ上のどこに存在するかを特定できる。これによれば、ＵＥは次にＳＢ２２を受信し、その結果さらにＮＣＬ ｆ２へと導かれる。取得時間は、ＵＥが他セルからシステム情報を取得するのにかかる時間として定義される。すなわち、取得時間は、ＵＥがＦＩＤ２を通じて他の周波数の値を特定するときに開始し、ＮＣＬ ｆ２の受信で終了する。ＭＩＢ２及び／またはＳＢ２２を逃してしまった場合、したがって、ＵＥはＭＩＢ２／ＳＢ２２の次の繰返しを待たなければならなくなり、明らかに取得（時間）が増加すると思われる。
【０１８２】
次に、本発明の例示的な実施形態による二つの例示的なモビリティ手順、ハード・ハンドオーバ手順とセル再選択手順を図８と図９を参照して説明する。
【０１８３】
図８は、すでに前に説明したハード・ハンドオーバ手順を示す。しかし、ここでは、本発明の一つの実施形態によるハード・ハンドオーバ手順の改良点を以下に説明する。レジ的な目的で、各セルにおいてノードＢが無線リソース制御エンティティ（基地局）として動作すると仮定される。
【０１８４】
本発明の一つの実施形態によれば、元のノードＢは他のセルのシステム情報へのポインタをブロードキャストする。図８を用いて説明するこの例では、他のセルの関連システム情報はＮＣＬ（ＳＩＢ１１、ＳＩＢ１２）とＳＩＢ５、７及び１７である。移動先セルの前記システム情報に対応するスケジューリング情報は、元のセルのシステム情報と一緒に、一つまたは複数のポインタ内で元のセルの固定速度の及び／または変動速度のＢＣＨ上でブロードキャストされ得る。いずれの場合も、ＵＥは、そのようにして、移動先セルのシステム情報に直接アクセスするために必要なすべての情報を提供される。より多くの移動先セルが存在する場合、当然、より多くのポインタが元のノードＢによってブロードキャストされることになる。すなわち、例えば、５個のセルがトラッキング・エリアを構成する場合、元のノードＢは４個のセルの分の追加のポインタ（各ポインタは各セルのＳＩＢ５、７、１１、１２及び１７を直接得るために必要な情報を有し得る）を送信しなければならない。大きなトラッキング・エリアの場合には、前記追加のスケジューリング情報により発生するトラヒックを減少させるために、元のノードＢは隣接セルについてのポインタをブロードキャストするだけにしてもよい。
【０１８５】
図１６は、元のセルが周波数キャリアｆ１を使用し、移動先セルが周波数キャリアｆ２を使用する場合に、他の移動先セルのシステム情報へのポインタを元のセル内で送信することの概念を例示する。他の周波数キャリアｆ３も利用可能である。ＭＩＢは、各々の周波数キャリアｆ１とｆ２の固定のＢＣＨでブロードキャストされる。さらに、スケジューリング・ブロックＳＢ１ｘが周波数キャリアｆ１上で送信され、スケジューリング・ブロックＳＢ２ｘが周波数層ｆ２上で送信される。また、周波数識別子２と３が周波数キャリア１で送信され、ＦＩＤ１と３が周波数ｆ２によりブロードキャストされる。繰返し時間ＴｒＭＩＢ１、ＴｒＭＩＢ２、ＴｒＳＢ１、ＴｒＳＢ２も図１６に示される。
【０１８６】
本発明の一つの実施形態によれば、追加のスケジューリング・ブロックＳＢ２２とＳＢ３２は、周波数キャリアｆ１上で送信される。これらの２つのＳＢは、周波数キャリアｆ１とｆ３にそれぞれ対応し、他の周波数キャリアのＮＣＬを取得するための情報をとりわけ含んでなる。図示されるように、周波数ｆ１上でブロードキャストされるＳＢ２２は、周波数ｆ２上のＮＣＬ ｆ２をＵＥに直接指し示す。逆に、周波数キャリアｆ２から受信されるＳＢ１２は、ＮＣＬ ｆ１をＵＥに直接指し示す。
【０１８７】
図８へ戻り再び参照すると、ＵＥは現在の無線セル（元のセル）内のノードＢに接続されていて、ユーザ・プレーンのデータを元のノードＢと交換する。３ＧＰＰベースのシステムでは、移動端末は、ユーザ・プレーンのデータを受信中はアクティブ状態にある。ＵＥは、例えば、チャネル品質測定を元のノードＢへ定期的に提供でき、この測定情報はＵＥが他セル（移動先セル）へハンドオーバされる必要があるか否かを決定するために、元のノードＢによって評価される。しかし、前記チャネル品質測定を実行するためには、先に説明したように、測定対象のセルからのシステム情報が先ず必要である。
【０１８８】
上述した従来の方法とは異なって、しかるべく、ＵＥは、周波数キャリアｆ２と仮定される、移動先セルのＮＣＬへのポインタ（または複数のポインタ）を元のノードＢから元のセルのブロードキャスト・チャネル（固定速度及び／または変動速度のＢＣＨ）を介して前もって受信している。このポインタは、移動先セルのＢＣＨ上でいつ、どこでＮＣＬがブロードキャストされるかについての情報をＵＥに与える。これは、固定速度及び／または変動速度のブロードキャスト・チャネルのいずれでＮＣＬがブロードキャストされるかをとりわけ含むことができる。事実上、上記ポインタは、第１の周波数キャリアを有する第１のセルにキャンピング中のＵＥに、他セルの特有のシステム情報を、ひいては他周波数キャリアを指し示すために必要なすべての情報を含むものとする。ネットワークが同期化されてなく、ポインタに含まれ得る同期情報がもはや有効ではない場合は、共通時間基準を有するために、ＵＥは移動先セルからＳＮＦを先ず取得する必要がある可能性がある。その後、ＵＥは、ＮＣＬを取得できる。ＭＩＢからの関連情報、すなわち、ＮＣＬのスケジューリング情報は、元のノードＢから元のセル内で前もってすでにＵＥによって受信されたので、明らかに、ＭＩＢを最初に受信する必要性はもうない。
【０１８９】
ＵＥは、したがって、移動先セルからＮＣＬ ｆ２を直接取得するために圧縮モードを使用できる。ＭＩＢを受信する必要ないことから取得時間は今はより短いので、取得時間を短縮させることができる。これは、例えば、送信の中断時間がより短くなることにより、測定対象の周波数以外のキャリア周波数上で送信中のデータの損失量をより少なく抑えることができるというような利点をいくつももたらす。
【０１９０】
ＮＣＬ ｆ２の受信を完了すると、ＵＥは、移動先セルの前記周波数キャリアｆ２の周波数間測定を設定することが可能である。その後、ＵＥは、圧縮モードの使用をここでも含む前記測定を実行する。その後、測定結果が元のノードＢへ折り返し報告され、続いてノードＢはその結果を評価し、ハンドオーバを実行するか否かを決定する。
【０１９１】
ＵＥを移動先のノードＢへハンドオーバするように元のノードＢが決定すると、元のノードＢはハンドオーバ要求を移動先のノードＢへ送信し、移動先のノードＢはこの要求に応じてＵＥに対する入域許可制御を実行できる。この要求は、例えば、移動先のノードＢがリソースをしかるべく設定できるように、ＵＥに関係したサービス及びシステム情報のコンテクスト転送を含むことができる。ＵＥが移動先のノードＢへ接続するように入域許可される場合、移動先のノードＢは、移動先のノードＢがＵＥを移動先セルに接続するように準備中であることを元のノードＢに知らせるハンドオーバ応答により応答する。
【０１９２】
前記情報は、元のセル内のユーザ・プレーンを破棄して、移動先セル内でユーザ・プレーンを確立するように（すなわち、移動先セル内でアクティブ状態に入るように）ＵＥに命令する個別制御メッセージである、ハンドオーバ指示を介してＵＥへ転送される。３ＧＰＰベースのシステムでは、ＵＥはハンドオーバ手順中でもアクティブ状態を継続している。ＵＥは、次に、移動先セルにアタッチし、（移動先セルへアタッチするのに）並びに移動先セル内でユーザ・プレーンを確立するのに関連する必要な移動先セル特有のシステム情報を取得し始める。
【０１９３】
表１に示した典型的な類別を適用すると、移動先セルについてのこの関連情報は、例えば、ＳＩＢ５、ＳＩＢ７及びＳＩＢ１７であり得る。前に述べたように、ＵＥは、上記ＳＩＢ５、ＳＩＢ７及びＳＩＢ１７そのもののスケジューリング情報を有する一つまたは複数のポインタを元のノードＢから元のセル内ですでに受信した。この関連システム情報へのポインタをすでに受信したことにより、移動先セルへアタッチすると、ＵＥは、 移動先セルのブロードキャスト制御論理チャネルのＳＩＢ５、ＳＩＢ７及びＳＩＢ１７を即座に取得できる。前述のとおり、移動先セル内でＳＩＢ５、ＳＩＢ７及びＳＩＢ１７を受信できるようになるために、ＵＥはＭＩＢを最初に受信する必要はない。関連システム情報を取得したら、移動先のノードＢへハンドオーバ完了メッセージが送信された時点で、ＵＥはユーザ・プレーンをアクティブ化でき、ユーザ・プレーン・データの交換を開始できる。
【０１９４】
図９は、セル再選択手順を示す。ハード・ハンドオーバの場合と同様に、本発明の例示的な実施形態によるこの手順の改良点を次に説明する。各セルにおいてノードＢが無線リソース制御エンティティとして動作することが、例示的な目的で仮定される。一般には、セル再選択手順は、アイドル・モードのＵＥによって実行される。図９に示した例では、 ＵＥは最初はアクティブ・モードにあり、元のセルにおいてユーザ・プレーン・データを送受信することが、例示的な目的でのみ仮定される。さらに、ＵＥは元のノードＢにトラヒック量測定を提供でき、この測定情報は、ＵＥへの接続を維持すべきか否かを決定するために元のノードＢで評価される。接続を維持せず、代わりにハンドオーバを実行する場合、接続解放メッセージによって元のノードＢはＵＥへの接続を解放でき、その結果ＵＥはアイドル・モードに入る。このメッセージによって、元のノードＢは、ＵＥのモビリティの制御をＵＥへいわば委譲する。また、ＵＥは、周波数キャリアｆ１の固定速度の及び／または変動速度のブロードキャスト・チャネルを介して、元のノードから、他の可能性のある移動先セルの関連システム情報へのポインタを受信し続ける。通常、上記関連システム情報は、セル再選択を実行するための情報に関係し、可能性のある移動先セルは、元のセルに隣接するセルである。
【０１９５】
接続解放を受信すると、ＵＥは接続先の無線セルを選択するために、セル再選択を実行する。セル再選択手順は、周波数間測定をとりわけ含み、それには必ず、測定を実行すべき対象となる可能性のある移動先セルのＮＣＬが必要になる。有利には、ＵＥは、元のセル内でブロードキャストされたポインタからＮＣＬ ｆ２の的確な位置とタイミングをすでに知っているので、移動先セルからＮＣＬ ｆ２を即座に取得することができる。
【０１９６】
ＵＥは、次に、受信したＮＣＬ ｆ２により周波数間測定を設定し、周波数間測定を実行する。前記測定に基づいて、ＵＥが実際に移動先セルへアタッチするとまた、移動先セルから関連システム情報を取得する必要がある。選択した移動先セルの関連システム情報へのポインタはＵＥに知られているから、ＵＥはアタッチした時点でシステム情報を読み始めることができる。さらに、ＵＥ（アイドル・モードの）が移動先セル内でページングされると仮定すると、または（図９に示すように）アクティブ状態になる、すなわち、ユーザ・プレーンの接続を確立する決定をすると仮定すると、ＵＥと移動先のノードＢは、接続要求、接続設定及び接続完了のメッセージを交換することによりユーザ・プレーンの接続を確立する。
【０１９７】
本発明の別の態様によると、移動端末は、圧縮モードによって可能にされた、予め割り当てられた間隔に合致して、ＮＣＬ取得または測定のような周波数間に関係した動作をもっぱら実行できる。本発明の一つの実施形態によれば、ネットワークは、他の周波数層からＮＣＬ情報を取り込むための測定間隔を端末に割り当てる。図１７ａは、周波数キャリアｆ１に現在キャンプされていて、周波数層ｆ２の他セルの測定を実行しようとする端末の測定間隔を示す。図の中段帯には、元のノードＢからＮＣＬ ｆ２が送信される送信時間が示される。明らかに、下段帯に示された、周波数キャリアｆ２からＮＣＬ ｆ２を端末が取得するための結果的に生じる取得間隔は、図１７ａの中段帯に示した送信時間と等しい。端末の測定間隔はＮＣＬ ｆ２の取得間隔の時間フレーム内にあるので、端末は、通常は実際の測定のためにのみ、またＮＣＬ ｆ２を取得するためにも、測定間隔を使用できる。他方、測定間隔を使用できなかった場合（図示されない）、すなわち、測定間隔と取得間隔の時間割当てが存在しないときには、ネットワークはＮＣＬ ｆ２を取得するための追加の間隔を割り当てる必要があろう。
【０１９８】
一つの無線セルに２つのノードＢが提供される、すなわち、ノードＢ１とノードＢ２が移動先無線セルを制御し、通信とブロードキャストのために同一周波数層を使用することが仮定される、別のシナリオを図１７ｂに示す。したがって、１７ｂの３段目と４段目の帯に示されるように、移動先の無線セルにはＮＣＬ ｆ２の送信時間が２つ存在する。その結果、どの端末にとっても、ＮＣＬ ｆ２を受信するための取得間隔は、ノードＢ１とノードＢ２の両方の送信時間を合わせた時間である。
【０１９９】
また例示的な目的で、元のセル内には２つの端末が周波数層ｆ１にキャンプされていて、それぞれの測定間隔は、図１７ｂの初めの２段の帯に示すとおりであることが仮定される。端末１の測定間隔と取得間隔は時間的に正しく整合されているので、明らかに、端末１は測定間隔を取得間隔として利用できる。他方、端末２に割り当てられた測定間隔は、ＮＣＬ取得間隔の総時間と完全に整合されないため、端末２がＮＣＬ ｆ２を取得するためには、測定間隔のほかに追加の端末固有の取得間隔が必要である。
【０２００】
図１８は、移動先セル内のシステム情報が固定速度のトランスポート・チャネルと変動速度のトランスポート・チャネルにマッピングされ、第１層アウトバンド識別が使用される場合の本発明の別の例示的な実施形態による、移動先セル特有のシステム情報へのポインタを元のセルを介してブロードキャストすることの概念を示す。
【０２０１】
図１８では、移動先セル内においてシステム情報とそれに関連した制御シグナリングは、３つの異なるチャネルにマッピングされる。すなわち、固定速度のトランスポート・チャネル、変動速度のトランスポート・チャネル及び変動速度のトランスポート・チャネルに付随した物理制御チャネルにマッピングされる。制御チャネルは、付随変動速度のトランスポート・チャネル上のシステム情報の送信フォーマットとタイミングを記述する制御情報を含むという形で、変動速度のトランスポート・チャネルに付随される。
【０２０２】
さらに、モビリティ手順を実行時に及び移動先セルへのアタッチ時に、移動先セル内でシステム情報を受信すべき移動端末（または、同意義には、論理チャネルからトランスポート・チャネルへのマッピング）は、各第１層アウトバンド識別によって指定され得る。したがって、論理チャネルからトランスポート・チャネルへのマッピングは、付随した物理制御チャネル（例えば、第１層／第２層制御チャネル）上の識別子によって指示される。
【０２０３】
移動先セルにおいて、ブロードキャスト制御論理チャネル（例えば、ＵＭＴＳにおけるＢＣＣＨ）上で、例えば、提供されるシステム情報は、図１８の変動速度のトランスポート・チャネルと固定速度のトランスポート・チャネルにマッピングされる。
【０２０４】
マスター情報ブロック（ＭＩＢ）は、固定速度のトランスポート・チャネル上で周期的に（ＭＩＢ繰返し周期）送信される。例えば、ＭＩＢは、所定の数の送信時間間隔（ＴＴＩ）等としての所定の時間長後に送信され得る。さらに、図１１に示したのと同様の固定速度のチャネルと変動速度のチャネルのチャネル構成を仮定すると、サブフレームは、１個以上のシステム情報ブロック（ＳＩＢ）を有し得る。一つのＳＩＢは、送信されるべきシステム・ブロードキャスト情報の一部を有する。例えば、各ＳＩＢは、表１に例示した、ある類別の情報の所定のまたは設定可能なセットを含有し得る。
【０２０５】
図１８に示した例示的な実施形態で使用されるＭＩＢを図１９にさらに詳細に示す。図１９は、本発明の一実施形態により図１８に示したように第１層アウトバンド・シグナリングが使用されるとき、固定速度のトランスポート・チャネルと変動速度のトランスポート・チャネルへのシステム情報ブロックのマッピングを指示するポインタを含むＭＩＢの典型的なフォーマットを示す。ＭＩＢのこのポインタは、移動先セル内の該当するシステム情報を指し示すために、移動端末へ元のセルを介してブロードキャストされ得る。第１層アウトバンド・シグナリングの場合には、移動先セル内の変動速度のトランスポート・チャネル上のスケジューリング情報を含む、移動先セル内の付随した物理制御チャネルを移動端末は読むものと仮定できる。したがって、上記ポインタは、移動先セル内の付随した物理制御チャネルの設定の情報をも含有し得る。本発明のこの実施形態によるシステム・ブロードキャスト情報の構成は、先に概説したように木のような構造である。ＭＩＢは、制御情報の異なる部分部分を含有し、これらの部分部分の各々が各ＳＩＢに関連付けられている。同様に、元のセルを通じて移動端末へブロードキャストされたポインタによって、移動セル内の例えばＳＩＢ５などの個別のＳＩＢを指し示す場合には、その制御情報の構成と内容は、移動先セルのＭＩＢ内で用いられるものと同等であり得る。
【０２０６】
移動先セル内の固定速度のトランスポート・チャネルへ送信のためにマッピングされる上記ＳＩＢにかかわる、ＭＩＢ中のまたはブロードキャストされたポインタ中の制御情報は次のような構成をとり得る。あるＳＩＢに関連した各制御情報（ＳＩＢ＃ｎへのポインタ）は、そのＳＩＢが共通タイミング基準に相対して送信される固定速度のトランスポート・チャネル上のそのＳＩＢの位置を示す。各セルでは共通タイミング基準がＳＦＮによって与えられると、例示的な目的で仮定される。ＳＮＦ番号付けは隣接セル間で異なることもあるため、それに基づいてスケジューリング情報が有効になるＳＦＮの情報を前もって取得するように、ポインタ中では移動先セルのＳＮＦが送信され得る。さらに、各ＳＩＢが送信される周期を示すＳＩＢの繰返し周期が、ＭＩＢまたはポインタ中で指示され得る。
【０２０７】
変動速度のトランスポート・チャネルへマッピングされるシステム情報にかかわるポインタの制御情報は、固定速度のトランスポート・チャネルにマッピングされるシステム情報にかかわる制御情報とは異なる構成をとり得る。例示的な実施形態によると、ＭＩＢまたはポインタ中のＳＩＢ１７にかかわる制御情報は、ＳＩＢ１７が送信される変動速度のトランスポート・チャネルの指示を含んでなる。この指示は、図１８では、ＭＩＢから変動速度のトランスポート・チャネルへ指し示す点線矢印によって示される。
【０２０８】
前述したとおり、受信する移動端末への論理チャネルからトランスポート・チャネルへのマッピングを指示するために第１層アウトバンド識別が使用される。この目的のために、マッピングの識別が付随した制御チャネル上で送信される（「ＩＤ」を参照）。この識別は、例えば、受信側で各トランスポート・チャネルがそこへマッピングされるべき論理チャネルのデフォルトのまたは設定された識別子を使用することができる。これらの識別子はＭＩＢ中で送信され得る。使用される識別子は、デフォルト値であってもよいし、またはシステムによって設定されてもよい。
【０２０９】
変動速度のトランスポート・チャネルに付随した制御チャネルは、変動速度のトランスポート・チャネル上のＳＩＢのスケジューリングを示す制御情報を含んでなる。この制御チャネルは、元のセル内でブロードキャストされるポインタによっても指示され得る。上記付随した制御チャネル上の制御情報は、各ＳＩＢについて、共有チャネルにマッピングされたＳＩＢのそのチャネル上の時間的な位置を少なくとも指示できる。本発明の別の実施形態では、上記制御情報は、スケジューリング情報であり、かつ一括割当て、データ変調及びトランスポート・ブロック・サイズに関する情報を含み得る。
【０２１０】
例示的な目的でのみＵＭＴＳシステムにおけるブロードキャスト・システム情報の送信に説明を戻すと、第１層アウトバンド識別とスケジューリング情報の送信は、変動速度のトランスポート・チャネルに限られ、固定速度のトランスポート・チャネルを介して伝達されるシステム情報ブロックのスケジューリング情報は、固定速度のトランスポート・チャネルのマスター情報ブロック内で、すなわち、第２層トランスポート・ブロック内で送信される。固定速度のトランスポート・チャネルの設定は、例えば、半固定的であることが可能であり、一方、共有ダウンリンク・トランスポート・チャネルの設定は半固定的または動的であることが可能である。本発明のこの実施形態における変動速度のトランスポート・チャネルの動的設定の柔軟性は、ブロードキャスト・システム情報の迅速なスケジューリングを効率的にサポート可能なので、無線リソース利用の観点から有利であり得る。
【０２１１】
本発明の例示的な実施形態では、変動速度のトランスポート・チャネルは、ＵＭＴＳシステムの共有ダウンリンク・チャネル（ＳＤＣＨ）であることが可能であり、一方、固定速度のトランスポート・チャネルは、ブロードキャスト・チャネル（ＢＣＨ）であることが可能であり、ＳＤＣＨに付随した制御チャネルは、共有制御シグナリング・チャネル（ＳＣＳＣＨ）であることが可能である。
【０２１２】
図２０は、移動先セル内のシステム情報が固定速度のトランスポート・チャネルと変動速度のトランスポート・チャネルにマッピングされ、第２層インバンド識別が使用される場合の本発明の別の例示的な実施形態による、移動先セル特有のシステム情報へのポインタを元のセルを介してブロードキャストすることの概念を示す。
【０２１３】
図２０に示した例示的な実施形態では、識別のために付随した（物理）制御チャネルを必要としない、変動速度のトランスポート・チャネルが使用される。図１８と図１９に関連して説明した本発明の実施形態と同様に、図２０に示した実施形態でも、システム情報は、固定速度のトランスポート・チャネルと変動速度のトランスポート・チャネルにマッピングされる。論理チャネルからトランスポート・チャネルへのマッピングを指示する識別子（「ＩＤ」）と共有チャネル（例えば、ＳＤＣＨ）の半固定的な設定情報（タイミング及び送信フォーマット）と付随した物理制御チャネル（例えば、ＳＣＳＣＨ）の設定は、インバンド（帯域内）で送信される。これは、情報の二つの部分が第２層のパケット内で送信されることを意味する。例えば、識別（「ＩＤ」）は、変動速度のトランスポート・チャネルの第２層のパケットのヘッダ内で提供されることが可能であり、変動速度のトランスポート・チャネルの設定情報は、ＭＩＢ内で提供されることが可能である。同様に、元のセルを介してＵＥへ送信されたポインタは、変動速度のチャネル上のＳＩＢを指し示すとき、移動先セルのＭＩＢ中で提供される変動速度のトランスポート・チャネルの設定情報を含み得る。
【０２１４】
識別子ＩＤは、前述したように、デフォルトの識別子であってもよいし、または固定速度のトランスポート・チャネルのＭＩＢを通じて設定されても／割当てられてもよい。図２１は、図２０でシステム情報ブロックのマッピングに使用されたマスター情報ブロックの典型的なフォーマットを示す。より詳しく言えば、図２１は、本発明の一実施形態により図２０に示したように、変動ブロードキャスト・チャネル上のスケジューリング情報を送信するために第２層インバンド・シグナリングが使用されるとき、固定速度のトランスポート・チャネルと変動速度のトランスポート・チャネルへのシステム情報ブロックのマッピングを指示するポインタを含むＭＩＢの典型的なフォーマットを示す。ＭＩＢのこのポインタはまた、移動先セル内のシステム情報を指し示すために移動端末へ送信されるポインタとして、元のセル内で元のノードＢによってブロードキャストされることが可能である。固定速度のトランスポート・チャネルにマッピングされたＳＩＢにかかわる制御情報の構成は、図１９に示したＭＩＢ中のものと同様である。変動速度のトランスポート・チャネルにマッピングされたＳＩＢのＭＩＢ制御情報は、ＳＩＢがそれぞれそこにマッピングされた変動速度のトランスポート・チャネルの指示をさらに含み得る。同様にまた、制御情報のポインタは、移動先セルにおける関連ＳＩＢのマッピングの指示も含んでなる。
【０２１５】
一つの例示的な実施形態によると、システム情報は、表１に及び背景技術の節で提示されたように類別され得る。さらに、背景技術の節で説明した、ＭＩＢとＳＩＢを使用したブロードキャスト・システム情報の木のような構成も、例示的な目的で仮定される。
【０２１６】
例示的な目的で、ＬＴＥ−ＵＭＴＳシステムとハード・ハンドオーバのケースを考えると、ブロードキャストされるべきポインタは次のような情報を含み得る。
【０２１７】
-  移動先の拡張型ノードＢによって制御された無線セルで有効である、移動先セルのＮＣＬにかかわるスケジューリング情報（ＳＩＢ１１及び／またはＳＩＢ１２）、ＳＩＢ５及びＳＩＢ１７（及び選択的にＳＩＢ７）を含むＭＩＢの一部（例えば、前述の「ポインタ」）、及び、選択的に、
-  各スケジューリング情報がそこから有効である先頭の、移動先ノードＢのシステム・フレーム番号（ＳＦＮ）
この例で、ＳＩＢ５とＳＩＢ１７の情報は、移動先セルへの無線接続の確立に関連するとみなせることに留意すべきである。
【０２１８】
例示的な目的で、ＬＴＥ−ＵＭＴＳシステムとセル再選択のケースを考えると、ポインタは次のような情報を含み得る。
【０２１９】
-  候補の移動先セル・リストの中のセルの拡張型ノードＢの各々で有効な、移動先セルのＮＣＬにかかわるスケジューリング情報（ＳＩＢ１１及び／またはＳＩＢ１２）、ＳＩＢ３及びＳＩＢ７（及び選択的にＳＩＢ５）を含むＭＩＢの一部（例えば、前述の「ポインタ」）、及び、選択的に、
-  スケジューリング情報の各部分がそこから有効である先頭の、候補の移動先セル（複数のセル）を制御する各拡張型ノードＢのＳＦＮ
セル再選択手順に関係したこの例では、ＳＩＢ３とＳＩＢ７の情報が移動先セルへのＵＥのアタッチに関連するとみなせる。
【０２２０】
本発明の別の実施形態は、移動先セル内の変動速度のトランスポート・チャネルにマッピングされた関連のまたは重要なＳＩＢの送信の信頼性を増加することに関係する。図２２は、本発明の別の実施形態による、移動先セル内の固定速度のチャネルと変動速度へのシステム情報の典型的なマッピングを示す。変動速度のチャネル上のデータ送信にリンク適応技術（適応変調及び符号化（ＡＭＣ）及び／または電力制御など）を適用することを仮定すると、データ送信の信頼性は、データを受信する移動端末の幾何学的位置性により変わる可能性がある。例えば、移動端末がセル境界の近くに位置している場合、またはセル内を高速で移動する場合、移動端末はチャネル品質の劣化を経験すると考えられ（すなわち、低い幾何学的位置性にある）、その結果、総体的フレーム・エラー率が増加すると思われる。このような状況のシナリオでは、移動端末は関連の（または重要な）システム情報（例えば、ハンドオーバの場合にはＳＩＢ７とＳＩＢ１７など）をうまく復号できずに、変動速度のトランスポート・チャネル上の関連の（または重要な）システム情報の繰返し周期Ｔｒｅｐ後の次の送信を移動端末は待たなければならなくなり、その結果、モビリティ手順の中断時間が増加される可能性が高くなり得る。
【０２２１】
この問題を回避するために、ある時間インスタンス（サブフレームまたはＴＴＩ）に複数のリソース・ブロックで、変動速度のチャネルにマッピングされた関連の（または重要な）ＳＩＢを送信することが予見され得る（例えば、同じＳＩＢをサブフレーム内の２個以上のリソース・ブロックで送信し得る）。例えば、図２２において、ＳＩＢ１７は変動速度のトランスポート・チャネルにマッピングされ、ある時間インスタンスに２個のリソース・ブロックで送信される。同様にまた、変動速度のトランスポート・チャネルの連続するサブフレームに関連システム情報を繰り返すことも予見され得る。これに応じて、移動先セル内の関連システム情報を指し示す、元のセル内で送信されるポインタは、関連ＳＩＢが繰り返される／送信される別々のリソース・ブロックを指示できる。
【０２２２】
別の実施形態では、移動先セル特有のシステム情報の一部分（例えば、個別のＳＩＢ）を、元のセル内で元のノードＢから移動端末へ送信されるポインタの中に含めることも予見され得る。図２３は、本発明のこの例示的な実施形態による、端末が元のセル内にまだいる間に、元のノードＢを介して端末へ送信されるポインタの設定を示す。上記ポインタは、移動先セル特有のシステム情報の一部分を含んでなり、かつスケジューリング情報によって移動先セル特有のシステム情報の他の部分を指し示す。図２３に示した例では、移動先セルのＳＩＢ５のシステム情報が当該制御情報に含まれ、なおかつ上記ポインタはさらに移動先セル内のＳＩＢ７とＳＩＢ１７を指し示す。ＳＩＢ７は固定速度のトランスポート・チャネルにマッピングされ、ＳＩＢ１７は変動速度のトランスポート・チャネルにマッピングされることがこの例では仮定される。
【０２２３】
別の例示的な実施形態によれば、元のノードＢからブロードキャストされるべきポインタ内で関連ＳＩＢを送信するには、元のセル内のリソースが十分ではないことがあり得る。この場合には、関連ＳＩＢをさらに動的ＳＩＢ（その内容が頻繁に変動される）と非動的ＳＩＢ（その内容が頻繁に変動されない）に分類することができる。本発明のこの例示的な実施形態においても、移動先セルの個別の関連ＳＩＢ（すなわち、システム情報の一部）のポインタ内での送信が予見され得る。この実施形態では、移動先セルの非動的ＳＩＢは、システム情報を失うことなく、元のセル内でポインタと共にブロードキャストされ得る。反対に、移動先セルの動的ＳＩＢは、ポインタによって指し示すことができる。これに応じて、前述したとおり、隣接するセルのリソース制御エンティどうしは、関連ＳＩＢを隣接セルの無線リソース・制御エンティティへシグナリングすることによって、または自セル内の関連ＳＩＢへのポインタを隣接セルの無線リソース・制御エンティティに提供することによって、関連システム情報をやり取りすることになる。移動先セル内の関連システム情報及び／または上記情報の位置とマッピングを認識し、元の無線リソース制御エンティティは、移動端末に移動先セル内の関連システム情報へのポインタを提供することも、または関連システム情報（の一部分）を直接提供することもできる。
【０２２４】
表１に示したＳＩＢの類別を例示的な目的で仮定し、移動端末がハード・ハンドオーバ手順を実行するものと仮定すると、移動先セルの動的ＳＩＢはＳＩＢ７とＳＩＢ１７であり、一方、非動的ＳＩＢはＳＩＢ５である。セル選択（再選択）手順の場合、動的ＳＩＢはＳＩＢ７であり、非動的ＳＩＢはＳＩＢ３とＳＩＢ５であり得る。
【０２２５】
時間的可変性により情報を一般的に分類するために（すなわち、動的または非動的）、その情報の変動の頻度を示す率Ｆｖ１とＦｖ２（Ｆｖ１＜Ｆｖ２）を考えることができる。例えば、ある情報（ＳＩＢ）について、その変動率ＦｖがＦｖ１とＦｖ＜＝Ｆｖ１の関係にあるならば、この情報（ＳＩＢ）は時間的可変性が低いから、非動的であると分類できる。同じように、情報の変動率ＦｖがＦｖ１とＦｖ＞Ｆｖ１の関係にあるならば、その情報は時間的可変性が高い、すなわち動的であると言える。
【０２２６】
移動端末の大きな一群については、シグナリング負荷をさらに低減することが望ましいと思われる。本発明の別の実施形態は、したがって、モビリティ手順にとって重要なＳＩＢ（これらは、モビリティ手順を実行するために端末によって取得されなければならないＳＩＢである）と重要でないＳＩＢ（これらは、モビリティ手順を実行するために端末によって取得されなくてもよいＳＩＢである）を定義することによって、元のセル内のシグナリング負荷をさらに低減することを提案する。あるＳＩＢが移動先セルの無線インタフェース上の接続性の確立に関連するとみなせる、または移動先セルへのアタッチメント・ポイントの変更に関連する情報とみなせる場合もある一方、同じＳＩＢが移動先セルの無線インタフェース上の接続性の確立するために、または移動先セルへのアタッチメント・ポイントの変更に関連する情報として重要ではない場合もあることに留意すべきである。
【０２２７】
例えば、表１に示したシステム情報の類別を例示的な目的でここでまた仮定し、ハード・ハンドオーバ手順を考えると、重要なＳＩＢは、ＳＩＢ５とＳＩＢ１７、またはより一般的に言えば、共通物理チャネルの設定と接続モードでの共有物理チャネルへの設定に関する情報を含む移動先セルのシステム情報の一部分であり得る。この情報は、移動先セルへの接続を確立するために、すなわち、移動先セル内で再びアクティブ・モードに入り、ユーザ・プレーンのデータ転送を開始するために必要になり得る。しかし、ハード・ハンドオーバには重要ではないと思われる関連ＳＩＢは、移動先セルを制御する移動先のノードＢが、ハンドオーバ応答メッセージにおい元のノードＢへタイミング調整を送信するとすれば（図８を対照する）、アップリンク干渉（すなわち、表１中のＳＩＢ７）である。
【０２２８】
重要なシステム情報またはＳＩＢは、例えば、モビリティ手順を実行するために、移動端末によって取得されなければならないシステム情報またはＳＩＢの一部として定義できる。一つの実施形態によれば、 重要なシステム情報またはＳＩＢ（ｓ）は、元のセル内でブロードキャストされるポインタによって、上述したように指し示されるようにできる。重要なシステム情報／ＳＩＢと対照的に、重要でないシステム情報は、モビリティ手順を実行するために端末によって取得されなくてもよいシステム情報またはＳＩＢの一部をさすことができる。
【０２２９】
ハード・ハンドオーバ手順では、重要でないＳＩＢは、移動先のノードＢが、ハンドオーバ応答メッセージにおいてサービング・ノードＢへタイミング調整を送信するとすれば、アップリンク干渉に関するシステム情報（例えば、ＳＩＢ７）であり得る。重要な ＳＩＢは、例えば、共通物理チャネルの設定に関するシステム情報（例えば、ＳＩＢ５）と接続モードでの共有物理チャネルの設定に関するシステム情報（例えば、ＳＩＢ１７）であり得る。
【０２３０】
ハード・ハンドオーバの後、ＵＥの送信タイミングを推定し、必要であれば、サイクリック・プレフィックスの分数内にタイミングを調整するために、非同期ランダム・アクセスがノードＢによって使用できる。非特許文献５（http://www.3pgg.orgで得られ、参照により本文書に援用される）に概説されているように、元のセル内で、移動端末は、アップリンク同期符号によりアップリンク・タイミング調整情報Δ１を取得できる。移動先のノードＢも、同じアップリンク同期符号を受信でき、自己のタイミングに整合したタイミング調整情報Δ２を推定できる。移動先のノードＢは、例えば、移動先ノードＢから元のノードＢへのハンドオーバ応答メッセージ中で、Δ２を元のノードＢへフィードバックできる。したがって、ハード・ハンドオーバ手順の完了後の初期非同期ランダム・アクセスでは、ＵＥはＳＩＢ７情報を取得する必要はないため、この情報は「重要な」情報には分類されない。
【０２３１】
ハード・ハンドオーバのケースと同様に、セル選択（再選択）手順でも、重要なＳＩＢと重要でないＳＩＢを定義できる。一つの例では、セル再選択のために重要なＳＩＢはＳＩＢ３とＳＩＢ７であり得る一方、ＳＩＢ５は移動端末側発信のサービスでは重要ではないとみなせる。
【０２３２】
個別メッセージの受信のためのタイミングに応じて、ブロードキャスト・チャネルの固定速度の部分と変動速度の部分での関連ＳＩＢの送信を組み合わせることも可能であることに留意すべきである。
【０２３３】
本発明の別の実施形態によると、ＲＲＣ接続状態用とＲＲＣアイドル状態用にＮＣＬ情報を分離することにより、ＮＣＬ取得をより柔軟にすることができる。図２５は前記分離を示し、ＲＲＣ接続状態用のＮＣＬ情報はＮＣＬｃと表記され、次のパラメータを有し得る。
・  ハンドオーバのための周波数間測定設定
【０２３４】
逆に、ＲＲＣアイドル状態用のＮＣＬはＮＣＬｉと表記され、次のパラメータを有し得る。
・  セル個別オフセット
・  セル・スクランブル符号、及び
・  セル選択（再選択）情報
【０２３５】
前記のケースにおいて、移動先セルの周波数キャリアｆ２上のＮＣＬ情報をＵＥに指し示すために、元のセル内で元のノードＢから周波数層ｆ１上でブロードキャストされたスケジューリング情報も、ＳＢ２２ｃと表記されたＲＲＣ接続モード用のスケジューリング情報と、ＳＢ２２ｉと表記されたＲＲＣアイドル・モード用のＮＣＬ情報に分離できる。図２５によるこの例示説明図では、ポインタは変動速度のブロードキャスト・トランスポート・チャネル上で送信されることが明らかに仮定される。さらに、この分離は、ハード・ハンドオーバ及び／またはセル選択（再選択に）関するモビリティ手順のためのＳＩＢ３、ＳＩＢ５，ＳＩＢ７及び／またはＳＩＢ１７を取得するために、ポインタ中に含まれ得る追加の指示情報に影響を及ぼすことはない。特に、前記ＳＩＢを取得するためのスケジューリング情報は、両方のポインタＳＢ２２ｃとＳＢ２２ｉにそれぞれ含めることができる、または同一のポインタまたは他のポインタに別々に配置できる。
【０２３６】
さらに、上記の両ポインタを異なる繰返しサイクルで送信することが可能である。これは、例えば、ＲＲＣ接続状態とＲＲＣアイドル状態で異なる取得時間が必要になる場合に、容量を節減するために利用できるので有利である。
【０２３７】
図２５に関連して説明した本発明の前記の実施形態と同様に、ポインタ情報の分離は、セルの帯域幅能力に基づいて行なわれてもよい。さらに詳しく、図２６を参照して述べると、ＮＣＬ情報は、セルの帯域幅能力に応じて次のようにさらに分離可能である。より高いデータ伝送速度をサポートする（例えば、より大きな帯域幅割当てを有する）セルについての隣接セル・リストは、ＮＣＬｆ２ｈｄｒと例示表記される。これに対応して、より低いデータ伝送速度をサポートする（例えば、より小さな帯域幅割当てを有する）セルについてのＮＣＬは、ＮＣＬｆ２ｌｄｒと表記される。元のセル内でブロードキャストされるポインタもまた、セルの帯域幅能力に応じて分離され、それぞれに上記の２つのＮＣＬを指し示す。具体的には、ＳＢ２２ｌｄｒはＮＣＬｆ２ｌｄｒを指し示し、ＳＢ２２ｈｄｒはＵＥにＮＣＬｆ２ｈｄｒの送信に関する情報を与える。したがって、例えば、異なる要件をもつサービスを利用する端末で別々の取得が可能である。
【０２３８】
さらに、より高いデータ伝送速度での中断時間を含む全体のハンドオーバ時間を減少させるために、ＮＣＬｆ２ｈｄｒは、ＮＣＬｆ２ｌｄｒに比べてより高い繰返し率で送信されることが仮定できる。
【０２３９】
セル再選択及び／またはハード・ハンドオーバの場合、ＵＥによって選択される可能性のある候補としていくつもの隣接無線セルがある可能性がある。そのために、可能性のある移動先セルであるすべての隣接セルについてのモビリティ手順に関するすべてのセル特有のシステム情報（ＳＩＢ３、 ＳＩＢ５、ＳＩＢ７、ＳＩＢ１７）へのスケジューリング情報がポインタの中に含まれるとすれば、元のセル内でブロードキャストされるポインタの全体サイズが大きくなりすぎることがあり得る。本発明の一つの例示的な実施形態では、ポインタ中の可能性のある移動先セルに関する情報のサイズは、測定報告に基づいたネットワーク中で発生される下記のイベントの一つに応じて減少され得る。
-  新しいセルが所定の報告範囲に入る（すなわち、測定報告がしきい値レベルを上回るチャネル品質を示す）。そのセルを移動端末へ報告するセル・リストに追加する。
-  リスト中のあるセルが報告範囲を出る（すなわち、測定報告がしきい値レベル以下のチャネル品質を示す）。そのセルをセル・リストから削除する。
【０２４０】
図２４に例示的な目的で示したように、移動端末は、移動方向に沿って移動でき、その移動により隣接するセルＡ〜Ｃの異なるチャネル品質を経験し、報告する。移動端末を現在サーブしている拡張型ノードＢによって保持された初期の隣接セル・リストは、最初はセルＡ、セルＢ及びセルＣを含むが、最終的にセルＣの方向へ移動したとき、隣接セル・リストはセルＢとセルＣだけを含むようになる。しかるべく、移動端末の位置に応じて、接続解放メッセージ及び／またはＲＲＣハンドオーバ指示メッセージを移動端末へ送信する決定をするときに、現在サーブしているノードＢ（元のノードＢ）は、セルＡ〜ＣそれぞれにおけるまたはＢとＣそれぞれにおける関連システム情報へのポインタをブロードキャストできる。
【０２４１】
本発明の別の実施形態では、端末２が特定のノードＢだけ（例えば、高データ伝送速度のサービスによりＮＣＬをサポートする）から情報を得るものとする。具体的には、図２７の最初の２段の横帯から明らかなように、周波数層ｆ２の測定のための端末１と端末２の測定間隔は、異なって設定されている。また、ノードＢ１（低データ伝送速度のサービスのみをサポートする ）とノードＢ２（高データ伝送速度と低データ伝送速度の両方のサービスをサポートする）の変動ＢＣＨ上のＮＣＬの送信は異なる、すなわち、時間整合されていない。その結果、全体の間隔は、高データ伝送速度のサービスを使用しない端末、例えば、端末１に割り当てられる。この全体の間隔は、ノードＢ１とノードＢ２の２つの送信時間を合わせた時間である。これは、両方のノードＢとも低データ伝送速度をサポートすることから、端末２と対照的に、端末１はその対応ＮＣＬを両方のノードＢから受信できるという事実に起因する。
【０２４２】
ｆ１で通信する端末２のｆ２の周波数間測定のための測定間隔は、図２７に見てとれるように、ｆ２で通信するノードＢ２からのＮＣＬ ｆ２の送信にその継続時間も時間的整合も一致する。端末２は高データ伝送速度のサービスのみを使用すると想定されるので、端末２はこの測定間隔をＮＣＬ ｆ２の取得にも利用できる。
【０２４３】
要約すると、端末（端末２）は、 特定のノードＢだけ（例えば、ノードＢ２：高データ伝送速度のサービス用のＮＣＬを有する）から情報を得るものとし、その周波数間測定のための間隔は上記特定のノードＢによるＮＣＬの送信に一致し、他の端末（端末１）によるＮＣＬの取得のために割り当てられる全体の間隔は、上記端末には利用されない。むしろ、前記端末（端末２）は、ノードＢ２からのＮＣＬの送信に時間的に整合される測定間隔だけを割り当てられる。したがって、この特定の端末は、周波数キャリアｆ１の下でシステム・データをより効率的に受信するために、その測定間隔をＮＣＬ情報の取得にも利用する。
【０２４４】
図２８は、周波数キャリアｆ１を有する無線セルにキャンプされているまたはアタッチされている間に、他の周波数キャリアｆ２のＮＣＬを取得するために必要であるＵＥ内のいくつかの内部プロセスを示す。これによれば、端末は、その制御ＲＲＣ（ＣＲＲＣ）エンティティである、端末内部の第３層に移動先セルのシステム情報に関係するスケジューリング情報を記憶しなければならない。ポインタ情報が元のノードＢからブロードキャストされ、端末内部の第１層において最初に受信される。次のステップは、非同期ネットワークの場合及びスケジューリング情報（ポインタ）の中にＳＮＦがないまたは無効である場合にだけ必要である。特に、このような場合、移動先セルの固定速度のブロードキャスト・トランスポート・チャネルからＳＦＮを取得するために、第３層は第１層によって提供されるサービスを使用する。
【０２４５】
第３層においてＳＦＮを受信後、移動先セルの周波数キャリアｆ２からＮＣＬを取得するために、第３層は第１層のサービスを再び使用する。ＮＣＬは第１層から第３層へ転送され、次いで第３層はこのＮＣＬを使用して周波数間測定を設定する。このプロセスは実際の測定によって終了される。ＵＥ内部の異なる層間のこれらの相互動作は、プリミティブによって定義可能である。
【０２４６】
さらに、すでに簡単に前述したように、ここで様々な例示的な実施形態において概説した本発明の概念は、例えば、図１または図２に例示したアーキテクチャを有し得る、背景技術の節で説明したような移動通信システムにおいて有利に利用可能であることに留意すべきである。この例示したネットワーク・アーキテクチャにおいて、固定速度のトランスポート・チャネル（例えば、ブロードキャスト・トランスポート・チャネル）及び／または変動速度のトランスポート・チャネル（例えば、共有トランスポート・チャネル）は、移動局（ＵＥ）と基地局（ノードＢ）間の無線インタフェース上のアップリンク及び／またはダウンリンクでの通信に使用可能である。上記移動通信システムにおける通信には、例えば、ＯＦＤＭ方式、ＭＣ−ＣＤＭＡ方式、またはパルス整形を用いたＯＦＤＭ方式（ＯＦＤＭ／ＯＱＡＭ）が使用できる。いくつかの実施形態では、スケジューラが、リソース・ブロック単位で（すなわち、時間領域ではサブフレーム単位）または送信時間間隔（ＴＴＩ）単位でリソースをスケジュール可能であり、後者の場合、ＴＴＩは時間領域において１個以上のサブフレームからなると仮定できる。さらに別の実施形態では、適応変調及び符号化（ＡＭＣ）、送信電力制御及び／またはＨＡＲＱなどのリンク適応技術が、共有トランスポート・チャネル上の通信に適用され得る。
【０２４７】
本発明の一つの実施形態では、共有トランスポート・チャネルは、10 MHzの帯域幅をもち、15 kHのサブキャリア間隔で６００個のサブキャリアからなる。６００個のサブキャリアは２４個のサブバンド（それぞれ２５個のサブキャリアを含む）にグループ分けでき、各サブバンドは375 kHzの帯域幅を占有する。サブフレームは0.5 msの長さをもつと仮定すると、リソース・ブロック（ＲＢ）は、375 kHzと0.5 msにわたる大きさになる。
【０２４８】
代替的に、１サブバンドが１２個のサブキャリアから構成されてもよく、このようなサブバンド５０個が利用可能な６００個のサブキャリアを構成する。２個のサブフレームに相当する1.0 msの送信時間間隔（ＴＴＩ）を用いると、この例では、リソース・ブロック（ＲＢ）は300 kHzと1.0 msにわたる大きさになる。
【０２４９】
本発明の別の実施形態は、ハードウェア及びソフトウェアを使用した、上述した様々な実施形態の実現に関係する。本発明の多様な実施形態は、コンピューティング・デバイス（プロセッサ）を使用して実現または実施され得ることが認識される。コンピューティング・デバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）またはその他のプログラム可能な論理デバイス等であり得る。本発明の多様な実施形態は、上記のデバイスの組合せによって実施または実現されてもよい。
【０２５０】
さらに、本発明の多様な実施形態は、プロセッサで実行されるまたは直接ハードウェアに組み込むソフトウェア・モジュールを用いても実現可能である。また、ソフトウェア・モジュールとハードウェア実装の組合せも可能である。ソフトウェア・モジュールは、コンピュータで読取り可能などんな種類の記憶媒体3/4例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤ等3/4に記憶されてもよい。
【０２５１】
以上の文面において、本発明の様々な実施形態とその変形を説明した。具体的な実施形態の形で示した本発明へのいろいろな変形及び／または修正が、大まかに説明された本発明の精神または範囲を逸脱しない限りにおいてなされ得ることは当業者によって理解されるであろう。
【０２５２】
上記の実施形態の大部分は３ＧＰＰベースの通信システムに関連して概説されており、以上の節で使用された用語は３ＧＰＰの用語に主に関係することにさらに留意すべきである。しかし、３ＧＰＰベースのアーキテクチャにかかわる多様な実施形態の用語と説明は、本発明の原理と概念を上記のシステムに限定するように意図されてはいない。
【０２５３】
また、前述の背景技術の節で述べた詳細な説明は、本文書に説明した主に３ＧＰＰの特徴を生かした例示的な実施形態をよりよく理解してもらうためのものであり、移動通信ネットワークにおけるプロセス及び機能のここで述べた特定の実現に本発明を限定するものと理解すべきではない。しかしながら、本文書で提案された改良は、背景技術の節で説明したアーキテクチャに容易に適用可能である。さらに、本発明の概念は、３ＧＰＰによって現在検討中のＬＴＥ ＲＡＮに容易に使用することもできる。
【図面の簡単な説明】
【０２５４】
【図１】ＵＭＴＳ Ｒ９９／４／５によるＵＭＴＳのハイレベル・アーキテクチャを示す。
【図２】３ＧＰＰ ＬＴＥの研究プロジェクトによるＵＴＲＡＮの典型的なアーキテクチャを示す。
【図３】ＵＴＲＡＮの無線インタフェース・プロトコル・アーキテクチャの概要を示す。
【図４】ＵＴＲＡＮの無線インタフェース・プロトコル・アーキテクチャの概要を示す。
【図５】マスター情報ブロック（ＭＩＢ）の構成を示す。
【図６】等しいサイズの３個のサブバンドに分割された15 MHzのシステム帯域幅サイズを想定し、各端末固有の帯域幅能力が5、10及び15 MHzであると仮定した場合の例示的な配置のシナリオを示す。
【図７】二つの無線セルが異なる中心周波数をもち、固定速度のブロードキャスト・チャネルがシステムの中心周波数付近に提供される場合における、20MHzのシステム帯域幅をもつ通信システムでの10 MHzのＵＥのキャンピングを示す。
【図８】ＵＭＴＳによる例示的なハード・ハンドオーバ手順を示す。
【図９】ＵＭＴＳによる例示的なセル再選択手順を示す。
【図１０】図５のＭＩＢ構成を使用するブロードキャスト・トランスポート・チャネル上のＭＩＢとＳＩＢの例示的な構成を示す。
【図１１】システム情報が固定速度のトランスポート・チャネルと変動速度のトランスポート・チャネルにマッピングされる場合の本発明の例示的な実施形態による、移動先セル特有のシステム情報へのポインタを元のセルを介してブロードキャストすることの概念を示す。
【図１２】システム情報が固定速度のトランスポート・チャネルと変動速度のトランスポート・チャネルにマッピングされる場合の通常のＮＣＬ取得を示す。
【図１３】ある領域においては３個の周波数キャリアが同時に使用される階層セル構成の全体概念を例示する。
【図１４】周波数間測定及び／またはＮＣＬ取得を実行するために使用される圧縮モードの概念を示す。
【図１５】圧縮モードの場合のパターンの順列とパラメータを示す。
【図１６】本発明の一つの実施形態による、移動先セル特有のシステム情報へのポインタを元のセルを介して送信することの概念を示す。
【図１７ａ】本発明の一つの実施形態における、端末の測定間隔、ＮＣＬ送信時間並びに結果的に生じる取得間隔を表わした図を示す。
【図１７ｂ】本発明の別の違った実施形態における、端末の測定間隔、ＮＣＬ送信時間並びに結果的に生じる取得間隔を表わした図を示す。
【図１８】第１層アウトバンド・シグナリングを行なう状況において、付随した制御チャネルが変動速度のトランスポート・チャネルに使用される場合の本発明の別の例示的な実施形態による、移動先セル特有のシステム情報へのポインタを元のセルを介してブロードキャストすることの概念を示す。
【図１９】本発明の一実施形態により図１８に示した第１層アウトバンド・シグナリングが使用されるとき、固定速度のトランスポート・チャネルと変動速度のトランスポート・チャネルへのシステム情報ブロックのマッピングを指示するポインタを含むＭＩＢの例示的なフォーマットを示す。
【図２０】システム情報が固定速度のトランスポート・チャネルと変動速度のトランスポート・チャネルにマッピングされ、第２層インバンド・シグナリングが使用される場合の本発明の別の例示的な実施形態による、移動先セル特有のシステム情報へのポインタを元のセルを介してブロードキャストすることの概念を示す。
【図２１】本発明の一実施形態により図２０に示した第２層インバンド・シグナリングが使用されるとき、固定速度のトランスポート・チャネルと変動速度のトランスポート・チャネルへのシステム情報ブロックのマッピングを指示するポインタを含むＭＩＢの典型的なフォーマットを示す。
【図２２】システム情報の一部分が異なるリソース・ブロックで同時に送信される場合の本発明の別の例示的な実施形態による、移動先セル特有のシステム情報へのポインタを元のセルを介してブロードキャストすることの概念を示す。
【図２３】システム情報の一部分がブロードキャストされたポインタに含まれる場合の本発明の別の例示的な実施形態による、移動先セル特有のシステム情報へのポインタを元のセルを介してブロードキャストすることの概念を示す。
【図２４】隣接セル・リストが複数のセルを含み、各セルについてのセル特有のシステム情報への各ポインタが元のセルを介して移動端末へブロードキャストされる状況での、例示的な実施形態による隣接セル・リストの更新を示す。
【図２５】移動先セル特有のシステム情報が端末の現在の状態に基づいて分離される場合の本発明の別の例示的な実施形態による、移動先セル特有のシステム情報への２つの分離したポインタを元のセルを介してブロードキャストすることの概念を示す。
【図２６】移動先セル特有のシステム情報がセルの帯域幅能力に基づいて分離される場合の本発明の別の例示的な実施形態による、移動先セル特有のシステム情報への２つの分離したポインタを元のセルを介してブロードキャストすることの概念を示す。
【図２７】本発明の別の実施形態による、端末の測定間隔、ＮＣＬ送信時間並びに結果的に生じる取得間隔を表わした図を示す。
【図２８】ＵＥの第３層エンティティと移動先セル内の周波数間測定を実行するためのＵＥの第１層エンティティの間のＵＥ内部の相互動作を示す。
【図１】
2010506446.tif 000009
【図２】
2010506446.tif 000010
【図３】
2010506446.tif 000011
【図４】
2010506446.tif 000012
【図５】
2010506446.tif 000013
【図６】
2010506446.tif 000014
【図７】
2010506446.tif 000015
【図８】
2010506446.tif 000016
【図９】
2010506446.tif 000017
【図１０】
2010506446.tif 000018
【図１１】
2010506446.tif 000019
【図１２】
2010506446.tif 000020
【図１３】
2010506446.tif 000021
【図１４】
2010506446.tif 000022
【図１５】
2010506446.tif 000023
【図１６】
2010506446.tif 000024
【図１７ａ】
2010506446.tif 000025
【図１７ｂ】
2010506446.tif 000026
【図１８】
2010506446.tif 000027
【図１９】
2010506446.tif 000028
【図２０】
2010506446.tif 000029
【図２１】
2010506446.tif 000030
【図２２】
2010506446.tif 000031
【図２３】
2010506446.tif 000032
【図２４】
2010506446.tif 000033
【図２５】
2010506446.tif 000034
【図２６】
2010506446.tif 000035
【図２７】
2010506446.tif 000036
【図２８】
2010506446.tif 000037
【国際調査報告】
2010506446.tif 000038
2010506446.tif 000039
2010506446.tif 000040
2010506446.tif 000041